(57)【要約】【課題】  より高精度な焦点調節を実現するためのレンズ部を提供する。【解決手段】  そこで、本発明では、撮像素子を有する撮像部に着脱可能に構成され位置変動可能な光学部材を備えた撮影光学系の異なる複数の空間周波数ごとの結像位置に関する情報を記憶する記憶手段と、前記異なる複数の空間周波数ごとに１つずつ対応した前記撮影光学系の結像位置情報を、前記撮像部からの要求があった際の前記光学部材の位置に依存して前記撮像部に対して通知する通知手段とを有することを特徴とする。【選択図】  図１７
2020074022.tif 000002
【特許請求の範囲】
【請求項１】
撮像素子を有する撮像部に着脱可能に構成され位置変動可能な光学部材を備えた撮影光学系を有するレンズ部であって、
異なる複数の空間周波数ごとの前記撮影光学系の結像位置に関する情報を記憶する記憶手段と、
前記異なる複数の空間周波数ごとに１つずつ対応した前記撮影光学系の結像位置情報を、前記撮像部からの要求があった際の前記光学部材の位置に依存して前記撮像部に対して通知する通知手段とを有することを特徴とするレンズ部。
【請求項２】
前記記憶手段に記憶された異なる複数の空間周波数ごとの前記撮影光学系の結像位置に関する情報は、前記撮影光学系の収差により発生するピント状態の誤差を補正するための情報であることを特徴とする請求項１に記載のレンズ部。
【請求項３】
前記記憶手段に記憶された異なる複数の空間周波数ごとの前記撮影光学系の結像位置に関する情報は、異なる複数の空間周波数ごとのＭＴＦ曲線の前記撮影光学系の結像位置に関する情報であることを特徴とする請求項１に記載のレンズ部。
【請求項４】
前記異なる複数の空間周波数ごとのＭＴＦ曲線のそれぞれに１つずつ対応した前記撮影光学系の結像位置は、異なる複数の空間周波数に対応する複数のＭＴＦの極大値にそれぞれが対応する複数の結像位置の情報であることを特徴とする請求項１乃至３のいずれか１項に記載のレンズ部。
【請求項５】
前記異なる複数の空間周波数ごとにそれぞれに１つずつ対応した前記撮影光学系の結像位置は、焦点検出領域の位置に対応した情報であることを特徴とする請求項１乃至４のいずれか１項に記載のレンズ部。
【請求項６】
前記光学部材の位置は、フォーカス位置であることを特徴とする請求項１乃至５のいずれか１項に記載のレンズ部。
【請求項７】
前記光学部材の位置は、ズーム位置及びフォーカス位置であることを特徴とする請求項１乃至５のいずれか１項に記載のレンズ部。
【請求項８】
前記レンズ部は、ズーム機能を実現するズームレンズ、光量調節を行う絞り、及び焦点調節を行うフォーカスレンズを備えることを特徴とする請求項１乃至７のいずれか１項に記載のレンズ部。
【請求項９】
前記通知手段は、レンズ部に係る制御を行い、前記撮像部からの要求に対して前記撮像部に情報を通知するレンズＭＰＵであることを特徴とする請求項１乃至８のいずれか１項に記載のレンズ部。
【請求項１０】
前記レンズＭＰＵは、マウントの信号線を介して前記撮像部と接続され、前記撮像部からの要求に対して前記情報を前記信号線を介して前記撮像部に通知することを特徴とする請求項９に記載のレンズ部。
【請求項１１】
前記記憶手段は、前記撮影光学系の非点収差、色収差、球面収差により発生するピント状態の誤差を補正するための情報を、別々のデータとして記憶することを特徴とする請求項１乃至１０のいずれか１項に記載のレンズ部。
【請求項１２】
撮像素子を有する撮像部に着脱可能に構成され位置変動可能な光学部材を備えた撮影光学系の異なる複数の空間周波数ごとの結像位置に関する情報を記憶する記憶手段と、
要求があった際、前記光学部材の位置に依存した前記異なる複数の空間周波数ごとに１つずつ対応した前記撮影光学系の結像位置情報を送信する送信手段とを有することを特徴とする送信装置。
【請求項１３】
前記記憶手段に記憶された異なる複数の空間周波数ごとの結像位置に関する情報は、前記撮影光学系の収差により発生するピント状態の誤差を補正するための情報であることを特徴とする請求項１２に記載の送信装置。
【請求項１４】
前記記憶手段に記憶された異なる複数の空間周波数ごとの結像位置に関する情報は、異なる複数の空間周波数ごとのＭＴＦ曲線の前記撮影光学系の結像位置に関する情報であることを特徴とする請求項１２に記載の送信装置。
【請求項１５】
前記異なる複数の空間周波数ごとに１つずつ対応した前記撮影光学系の結像位置情報は、異なる複数の空間周波数に対応する複数のＭＴＦの極大値にそれぞれが対応する複数の結像位置の情報であることを特徴とする請求項１２乃至１４のいずれか１項に記載の送信装置。
【請求項１６】
前記異なる複数の空間周波数ごとに１つずつ対応した前記撮影光学系の結像位置情報は、焦点検出領域の位置に対応した情報であることを特徴とする請求項１２乃至１５のいずれか１項に記載の送信装置。
【請求項１７】
前記光学部材の位置は、フォーカス位置であることを特徴とする請求項１２乃至１６のいずれか１項に記載の送信装置。
【請求項１８】
前記光学部材の位置は、ズーム位置及びフォーカス位置であることを特徴とする請求項１２乃至１６のいずれか１項に記載の送信装置。
【請求項１９】
前記撮影光学系は、ズーム機能を実現するズームレンズ、光量調節を行う絞り、及び焦点調節を行うフォーカスレンズを備えることを特徴とする請求項１２乃至１８のいずれか１項に記載の送信装置。
【請求項２０】
撮像素子を有する撮像部に着脱可能に構成され位置変動可能な光学部材を備えた撮影光学系の異なる複数の空間周波数ごとの結像位置に関する情報を記憶し、
要求があった際、前記光学部材の位置に依存した前記異なる複数の空間周波数ごとに１つずつ対応した前記撮影光学系の結像位置情報を送信する送信方法。
【請求項２１】
撮像素子を有する撮像部に着脱可能に構成され位置変動可能な光学部材を備えた撮影光学系の異なる複数の空間周波数ごとの結像位置に関する情報を要求する要求手段と、
要求があった際、前記光学部材の位置に依存した前記異なる複数の空間周波数ごとに１つずつ対応した前記撮影光学系の結像位置情報を受信する受信手段とを有することを特徴とする受信装置。
【請求項２２】
前記異なる複数の空間周波数ごとの結像位置に関する情報は、前記撮影光学系の収差により発生するピント状態の誤差を補正するための情報であることを特徴とする請求項２１に記載の受信装置。
【請求項２３】
前記異なる複数の空間周波数ごとの結像位置に関する情報は、異なる複数の空間周波数ごとのＭＴＦ曲線の前記撮影光学系の結像位置に関する情報であることを特徴とする請求項２１に記載の受信装置。
【請求項２４】
前記異なる複数の空間周波数ごとに１つずつ対応した前記撮影光学系の結像位置情報は、異なる複数の空間周波数に対応する複数のＭＴＦの極大値にそれぞれが対応する複数の結像位置情報であることを特徴とする請求項２１乃至２３のいずれか１項に記載の受信装置。
【請求項２５】
前記異なる複数の空間周波数ごとに１つずつ対応した前記撮影光学系の結像位置情報は、焦点検出領域の位置に対応した情報であることを特徴とする請求項２１乃至２４のいずれか１項に記載の受信装置。
【請求項２６】
前記光学部材の位置は、フォーカス位置であることを特徴とする請求項２１乃至２５のいずれか１項に記載の受信装置。
【請求項２７】
前記光学部材の位置は、ズーム位置及びフォーカス位置であることを特徴とする請求項２１乃至２５のいずれか１項に記載の受信装置。
【請求項２８】
前記撮影光学系は、ズーム機能を実現するズームレンズ、光量調節を行う絞り、及び焦点調節を行うフォーカスレンズを備えることを特徴とする請求項２１乃至２７のいずれか１項に記載の受信装置。
【発明の詳細な説明】
【技術分野】
【０００１】
本発明は、撮像素子を有する撮像部に着脱可能に構成され位置変動可能な光学部材を備えた撮影光学系を有するレンズ部、送信装置及び受信装置に関するものである。
【背景技術】
【０００２】
撮像装置の焦点調節方法の一般的な方式として、コントラストＡＦ方式と位相差ＡＦ方式とがある。コントラストＡＦ方式も位相差ＡＦ方式もビデオカメラやデジタルスチルカメラで多く用いられるＡＦ方式であり、撮像素子が焦点検出用センサとして用いられるものが存在する。
【０００３】
この種の焦点調節方法は、光学系の所収差により、焦点検出結果に誤差を含む場合があり、その誤差を低減するための方法が、種々提案されている。
【０００４】
例えば、特許文献１には、焦点検出を行うために用いる信号の評価周波数（評価帯域）によって、焦点検出結果を補正する補正値を算出する方法が開示されている。
【０００５】
このような焦点検出誤差は、上述の焦点調節方法によらず、コントラストＡＦ方式や位相差ＡＦ方式に用いられる焦点調節用信号の評価帯域によって発生する。
【先行技術文献】
【特許文献】
【０００６】
【特許文献１】特許第５０８７０７７号公報
【発明の概要】
【発明が解決しようとする課題】
【０００７】
しかしながら、上記従来技術の構成では、焦点検出誤差の補正を十分に行えないといった問題がある。特許文献１では、焦点検出誤差として、焦点調節用信号を評価する周波数帯域を特定し、その評価帯域に適した補正値を用いて、焦点検出結果の補正を行う。
【０００８】
一方で、焦点検出誤差は、本来、撮影された画像として最も良好なピント状態であると観察者が感じられる焦点状態と、焦点検出結果が示す焦点状態の差である。しかしながら、撮影された画像の焦点状態については、上述の特許文献１では、言及されていない。
【０００９】
本発明は、上記の問題点に鑑み、より高精度な焦点調節を実現するためのレンズ部、送信装置、及び受信装置を提供することを目的とする。
【課題を解決するための手段】
【００１０】
そこで、上記目的を達成するために、本発明では、撮像素子を有する撮像部に着脱可能に構成され位置変動可能な光学部材を備えた撮影光学系の異なる複数の空間周波数ごとの結像位置に関する情報を記憶する記憶手段と、前記異なる複数の空間周波数ごとに１つずつ対応した前記撮影光学系の結像位置情報を、前記撮像部からの要求があった際の前記光学部材の位置に依存して前記撮像部に対して通知する通知手段とを有することを特徴とする。
【発明の効果】
【００１１】
本発明によれば、より高精度な焦点調節を行うためのレンズ部、送信装置、及び受信装置を提供することができる。
【図面の簡単な説明】
【００１２】
【図１】本発明の実施例におけるＡＦ動作手順を示すフローチャートである。
【図２】本発明の実施の形態におけるデジタルカメラの概略構成を示すブロック図。
【図３】受光画素をレンズユニット１００側から見た平面図。
【図４】撮影用画素の構造を説明する平面図と断面図。
【図５】撮影レンズの水平方向に瞳分割を行う焦点検出用画素の構造を説明する平面図と断面図。
【図６】本発明の実施例における各種ＡＦ要評価値を算出する回路のブロック図である。
【図７】撮影範囲内の焦点検出領域及び被写体の状況の例を示す図。
【図８】本発明の実施例における縦横ＢＰ補正値（ＢＰ１）を算出する流れを示したサブルーチンである。
【図９】本発明の実施例における縦横ＢＰ補正情報の例を示す図である。
【図１０】本発明の実施例におけるフォーカスレンズ１０４の位置と焦点評価値の関係を示した図である。
【図１１】本発明の実施例における色ＢＰ補正値（ＢＰ２）を算出する流れを示したサブルーチンである。
【図１２】本発明の実施例における色ＢＰ補正情報の例を示す図である。
【図１３】本発明の実施例における空間周波数ＢＰ補正値（ＢＰ３）を算出する流れを示したサブルーチンである。
【図１４】本発明の実施例における撮影光学系のデフォーカスＭＴＦを示す図である。
【図１５】本発明の実施例における各種空間周波数特性を示す図である。
【図１６】本発明の実施例における撮影画像の評価帯域やＡＦの評価帯域を考慮したデフォーカスＭＴＦを示す図である。
【図１７】本発明の実施例における撮影光学系のデフォーカスＭＴＦの極大値に関する情報を示す図である。
【図１８】本発明の第３の実施例における空間周波数ＢＰ補正値（ＢＰ３）を算出する流れを示したサブルーチンである。
【発明を実施するための形態】
【００１３】
以下、図面を参照しながら本発明の好適な実施の形態を説明する。
【実施例１】
【００１４】
以下、本発明の実施例による、本発明の撮像装置を、レンズ交換可能な一眼レフタイプのデジタルカメラに適用した例について説明する。
【００１５】
（撮像装置の構成の説明）
図２は本実施例のデジタルカメラのブロック図である。本実施例のデジタルカメラは交換レンズ式一眼レフカメラであり、レンズユニット１００とカメラ本体１２０とを有する。レンズユニット１００は図中央の点線で示されるマウントＭを介して、カメラ本体１２０と接続される。
【００１６】
レンズユニット１００は、第１レンズ群１０１、絞り兼用シャッタ１０２、第２レンズ群１０３、フォーカスレンズ群（以下、単に「フォーカスレンズ」という）１０４、及び、駆動／制御系を有する。このようにレンズユニット１００は、フォーカスレンズ１０４を含むと共に被写体の像を形成する撮影レンズを有する。
【００１７】
第１レンズ群１０１は、レンズユニット１００の先端に配置され、光軸方向ＯＡに進退可能に保持される。絞り兼用シャッタ１０２は、その開口径を調節することで撮影時の光量調節を行う他、静止画撮影時には露光秒時調節用シャッタとして機能する。絞り兼用シャッタ１０２及び第２レンズ群１０３は一体として光軸方向ＯＡに進退し、第１レンズ群１０１の進退動作との連動によりズーム機能を実現する。フォーカスレンズ１０４は、光軸方向の進退により焦点調節を行う。
【００１８】
駆動／制御系は、ズームアクチュエータ１１１、絞りシャッタアクチュエータ１１２、フォーカスアクチュエータ１１３、ズーム駆動回路１１４、絞りシャッタ駆動回路１１５を有する。
【００１９】
また、駆動／制御系は、フォーカス駆動回路１１６、レンズＭＰＵ１１７、レンズメモリ１１８、シフト／チルト／回転操作部材１４０、変位量検出手段１４１、変位方向検出手段１４２を有する。
【００２０】
ズームアクチュエータ１１１は、第１レンズ群１０１や第３レンズ群１０３を光軸方向ＯＡに進退駆動し、ズーム操作を行なう。絞りシャッタアクチュエータ１１２は、絞り兼用シャッタ１０２の開口径を制御して撮影光量を調節すると共に、静止画撮影時の露光時間制御を行なう。
【００２１】
フォーカスアクチュエータ１１３で、フォーカスレンズ１０４を光軸方向ＯＡに進退駆動して焦点調節を行なう。フォーカスアクチュエータ１１３は、フォーカスレンズ１０４の現在位置を検出する位置検出部としての機能が備わっている。
【００２２】
ズーム駆動回路１１４は、撮影者のズーム操作に応じてズームアクチュエータ１１１を駆動する。シャッタ駆動回路１１５は、絞りシャッタアクチュエータ１１２を駆動制御して絞り兼用シャッタ１０２の開口を制御する。
【００２３】
フォーカス駆動回路１１６は、焦点検出結果に基づいてフォーカスアクチュエータ１１３を駆動制御し、フォーカスレンズ１０４を光軸方向ＯＡに進退駆動して焦点調節を行なう。
【００２４】
レンズＭＰＵ１１７は、撮影レンズに係る全ての演算、制御を行い、ズーム駆動回路１１４、シャッタ駆動回路１１５、フォーカス駆動回路１１６、レンズメモリ１１８を制御する。また、レンズＭＰＵ１１７は、現在のレンズ位置を検出し、カメラＭＰＵ１２５からの要求に対してレンズ位置情報を通知する。
【００２５】
つまり、撮像装置は、撮影光学系を有するレンズ部と撮像素子を有する撮像部が着脱可能に構成されていた場合、レンズ部は、撮像部に対して撮影光学系により形成される撮像素子に入射する被写体像の空間周波数帯域ごとの結像位置に関する情報を通知する。
【００２６】
このレンズ位置情報は、フォーカスレンズの光軸上位置、撮影光学系が移動していない状態の射出瞳の光軸上位置、直径、射出瞳の光束を制限するレンズ枠の光軸上位置、直径などの情報を含む。レンズメモリ１１８には自動焦点調節に必要な光学情報を記憶する。
【００２７】
カメラ本体１２０は、光学的ローパスフィルタ１２１、撮像素子１２２、駆動／制御系を有する。
【００２８】
光学的ローパスフィルタ１２１と撮像素子１２２はレンズユニット１００からの光束によって被写体像を形成する撮像光学系として機能する。第１レンズ群１０１、絞り兼用シャッタ１０２、第２レンズ群１０３、フォーカスレンズ群（以下、単に「フォーカスレンズ」という）１０４、光学的ローパスフィルタ１２１は、撮影光学系を構成している。
【００２９】
光学的ローパスフィルタ１２１は、撮影画像の偽色やモアレを軽減する。
【００３０】
撮像素子１２２はＣ−ＭＯＳセンサとその周辺回路で構成され、横方向ｍ画素、縦方向ｎ画素が配置される。撮像素子１２２は、焦点検出装置の一部を有し、位相差検出方式ＡＦを行うことができる。得られた画像データの内、焦点検出に対応する画像データは、画像処理回路１２４で焦点検出用信号としての焦点検出用画像データに変換される。
【００３１】
一方で、得られた画像データの内、表示や記録やＴＶＡＦのために用いられる画像データも、画像処理回路１２４に送られ、目的に合わせた所定の処理が行われる。
【００３２】
駆動／制御系は、撮像素子駆動回路１２３、画像処理回路１２４、カメラＭＰＵ１２５、表示器１２６、操作スイッチ群１２７、メモリ１２８、撮像面位相差焦点検出部１２９、ＴＶＡＦ焦点検出部１３０を有する。
【００３３】
撮像素子駆動回路１２３は、撮像素子１２２の動作を制御するとともに、取得した画像信号をＡ／Ｄ変換してカメラＭＰＵ１２５に送信する。画像処理回路１２４は、撮像素子１２２が取得した画像のγ変換、カラー補間、ＪＰＥＧ圧縮などを行う。
【００３４】
カメラＭＰＵ（プロセッサ）１２５は、カメラ本体１２０に係る全ての演算、制御を行い、撮像素子駆動回路１２３、画像処理回路１２４、表示器１２６、操作ＳＷ１２７、メモリ１２８、撮像面位相差焦点検出部１２９、ＴＶＡＦ焦点検出部１３０を制御する。
【００３５】
カメラＭＰＵ１２５はマウントＭの信号線を介してレンズＭＰＵ１１７と接続され、レンズＭＰＵ１１７に対してレンズ位置の取得や所定の駆動量でのレンズ駆動要求を発行したり、レンズユニット１００に固有の光学情報を取得したりする。
【００３６】
カメラＭＰＵ１２５には、カメラ動作を制御するプログラムを格納したＲＯＭ１２５ａ、変数を記憶するＲＡＭ１２５ｂ、諸パラメータを記憶するＥＥＰＲＯＭ１２５ｃが内蔵されている。
【００３７】
更に、カメラＭＰＵ１２５は、ＲＯＭ１２５ａに格納したプログラムにより焦点検出処理を実行する。焦点検出処理は、瞳の異なる領域を通過した光束により形成される光学像を光電変換した対の像信号を用いて、公知の相関演算処理を実行する。また、カメラＭＰＵ１２５は、撮像面位相差ＡＦにおいて、焦点検出位置の像高が大きい時にケラレの影響が大きく信頼度が低下するため、その補正も行う。
【００３８】
表示器１２６はＬＣＤなどから構成され、カメラの撮影モードに関する情報、撮影前のプレビュー画像と撮影後の確認用画像、焦点検出時の合焦状態表示画像などを表示する。操作スイッチ群１２７は、電源スイッチ、レリーズ（撮影トリガ）スイッチ、ズーム操作スイッチ、撮影モード選択スイッチ等で構成される。本実施例の記録手段としてのメモリ１２８は、着脱可能なフラッシュメモリで、撮影済み画像を記録する。
【００３９】
撮像面位相差焦点検出部１２９は、撮像素子１２２、画像処理回路１２４により得られる焦点検出用画像データの像信号により位相差検出方式ＡＦでの焦点検出処理を行う。より具体的には、撮像面位相差焦点検出部１２９は、撮像光学系の一対の瞳領域を通過する光束により焦点検出用画素に形成される一対の像のずれ量に基づいて撮像面位相差ＡＦを行う。撮像面位相差ＡＦの方法については、後に詳細に説明する。
【００４０】
ＴＶＡＦ焦点検出部１３０は、画像処理回路１２４にて得られた画像情報のコントラスト成分により各種ＴＶＡＦ用評価値を算出し、コントラスト方式の焦点検出処理を行う。コントラスト方式の焦点検出処理は、フォーカスレンズ１０４を移動して焦点評価値がピークとなるフォーカスレンズ位置を検出する。
【００４１】
このように、本実施例は撮像面位相差ＡＦとＴＶＡＦを組み合わせており、状況に応じて、選択的に使用したり、組み合わせて使用したりすることができる。撮像面位相差ＡＦとＴＶＡＦは、各々の焦点検出結果を用いて、フォーカスレンズ１０４の位置を制御する制御手段として機能している。
【００４２】
（焦点検出装置の説明）
以上が、レンズユニット１００とカメラ本体１２０からなるカメラシステムの構成である。次に、撮像素子１２２の信号を用いた焦点検出装置について詳細を説明する。この焦点検出装置は位相差検出方式ＡＦとコントラスト方式ＡＦを採用している。その構成について説明する。
【００４３】
（位相差検出方式ＡＦの説明）
最初に、図３から図５を用いて、位相差検出方式ＡＦの構成について説明する。
【００４４】
図３は本実施例における撮像素子の画素配列を示した図で、２次元Ｃ−ＭＯＳエリアセンサの縦（Ｙ方向）６行と横（Ｘ方向）８列の範囲を、撮影光学系側から観察した状態を示している。カラーフィルタはベイヤー配列が適用され、奇数行の画素には、左から順に緑（Ｇｒｅｅｎ）と赤（Ｒｅｄ）のカラーフィルタが交互に設けられる。また、偶数行の画素には、左から順に青（Ｂｌｕｅ）と緑（Ｇｒｅｅｎ）のカラーフィルタが交互に設けられる。円２１１ｉはオンチップマイクロレンズを表わす。オンチップマイクロレンズの内側に配置された複数の矩形はそれぞれ光電変換部である。
【００４５】
本実施例では、すべての画素の光電変換部はＸ方向に２分割され、分割された一方の領域の光電変換信号と２つの光電変換信号の和は独立して読み出しできる構成となっている。そして、独立して読み出しされた信号は、２つの光電変換信号の和と分割された一方の領域の光電変換信号との差分をとることにより、もう一方の光電変換領域で得られる信号に相当する信号を得ることができる。
【００４６】
これらの分割された領域の光電変換信号は、後述する方法で位相差式焦点検出に用いられるほか、視差情報を有した複数画像から構成される３Ｄ（３−Ｄｉｍｅｎｓｉｏｎａｌ）画像を生成することもできる。一方で、２つの光電変換信号の和は、通常の撮影画像として用いられる。
【００４７】
ここで、位相差式焦点検出を行なう場合の画素信号について説明する。後述するように、本実施例においては、図３のマイクロレンズ２１１ｉと、分割された光電変換部２１１ａ及び２１１ｂで、撮影光学系の射出光束を瞳分割する。
【００４８】
そして、同一行上に配置された所定範囲内の複数の画素２１１において、光電変換部２１１ａの出力をつなぎ合わせて編成したものをＡＦ用Ａ像、同じく光電変換部２１１ｂの出力をつなぎ合わせて編成したものをＡＦ用Ｂ像とする。光電変換部２１１ａ、２１１ｂの出力は、ベイヤー配列の緑、赤、青、緑の出力を信号加算処理したもので、疑似的に輝度（Ｙ）信号として算出されたものを用いる。
【００４９】
但し、赤、青、緑の色ごとに、ＡＦ用Ａ像、Ｂ像を編成してもよい。このように生成したＡＦ用Ａ像とＢ像の相対的な像ずれ量を相関演算により検出することで、所定領域の焦点ずれ量、すなわちデフォーカス量を検出することができる。
【００５０】
本実施例では、ＡＦ用Ａ像もしくはＢ像は、いずれか一方は撮像素子からは出力されないが、上述した通り、Ａ像出力とＢ像出力の和は出力されるため、その出力と他方の出力の差分から、もう一方の信号を得ることができ、焦点検出を行うことができる。
【００５１】
上記の撮像素子は、特開２００４−１３４８６７号公報に開示された技術を用いて製造することができるため、詳細構造に関する説明は省略する。
【００５２】
（読み出し回路の構成を示した図）
図４は本実施例の撮像素子における読み出し回路の構成を示した図である。１５１は水平走査回路、１５３は垂直走査回路である。そして各画素の境界部には、水平走査ライン１５２ａ及び１５２ｂと、垂直走査ライン１５４ａ及び１５４ｂが配線され、各光電変換部はこれらの走査ラインを介して信号が外部に読み出される。
【００５３】
なお、本実施例の撮像素子は以下の２種類の読み出しモードを有する。第１の読み出しモードは全画素読み出しモードと称するもので、高精細静止画を撮像するためのモードである。この場合は、全画素の信号が読み出される。
【００５４】
第２の読み出しモードは間引き読み出しモードと称するもので、動画記録、もしくはプレビュー画像の表示のみを行なうためのモードである。この場合に必要な画素数は全画素よりも少ないため、画素群はＸ方向及びＹ方向ともに所定比率に間引いた画素のみ読み出す。また、高速に読み出す必要がある場合にも、同様に間引き読み出しモードを用いる。Ｘ方向に間引く際には、信号の信号加算処理を行いＳ／Ｎの改善を図り、Ｙ方向に対する間引きは、間引かれる行の信号出力を無視する。位相差検出方式、コントラスト検出方式の焦点検出も通常は、第２の読み出しモードで行われる。
【００５５】
（共役関係を説明する図）
図５Ａ、５Ｂは、本実施例の撮像装置において、撮影光学系の射出瞳面と、像高ゼロすなわち像面中央近傍に配置された撮像素子の光電変換部の共役関係を説明する図である。撮像素子内の光電変換部と撮影光学系の射出瞳面は、オンチップマイクロレンズによって共役関係となるように設計される。そして撮影光学系の射出瞳は、一般的に光量調節用の虹彩絞りが置かれる面とほぼ一致する。
【００５６】
一方、本実施例の撮影光学系は変倍機能を有したズームレンズであるが、光学タイプによっては変倍操作を行なうと、射出瞳の像面からの距離や大きさが変化する。図５における撮影光学系は、焦点距離が広角端と望遠端の中間、すなわちＭｉｄｄｌｅの状態を示している。これを標準的な射出瞳距離Ｚｅｐと仮定して、オンチップマイクロレンズの形状や、像高（Ｘ、Ｙ座標）に応じた偏心パラメータの最適設計がなされる。
【００５７】
図５Ａにおいて、１０１は第１レンズ群、１０１ｂは第１レンズ群を保持する鏡筒部材、１０５は第３レンズ群、１０４ｂはフォーカスレンズ１０４を保持する鏡筒部材である。１０２は絞りで、１０２ａは絞り開放時の開口径を規定する開口板、１０２ｂは絞り込み時の開口径を調節するための絞り羽根である。
【００５８】
なお、撮影光学系を通過する光束の制限部材として作用する１０１ｂ、１０２ａ、１０２ｂ、及び１０４ｂは、像面から観察した場合の光学的な虚像を示している。また、絞り１０２の近傍における合成開口をレンズの射出瞳と定義し、前述したように像面からの距離をＺｅｐとしている。
【００５９】
２１１０は、被写体像を光電変換するための画素で、像面中央近傍に配置されており、本実施例では、中央画素と呼ぶ。中央画素２１１０は、最下層より、光電変換部２１１０ａ、２１１０ｂ、配線層２１１０ｅ〜２１１０ｇ、カラーフィルタ２１１０ｈ、及びオンチップマイクロレンズ２１１０ｉの各部材で構成される。
【００６０】
そして、２つの光電変換部はオンチップマイクロレンズ２１１０ｉによって撮影光学系の射出瞳面に投影される。また別の言い方をすれば、撮影光学系の射出瞳が、オンチップマイクロレンズ２１１０ｉを介して、光電変換部の表面に投影されることになる。
【００６１】
図５Ｂは、撮影光学系の射出瞳面上における、光電変換部の投影像を示したもので、光電変換部２１１０ａ及び２１１０ｂに対する投影像は各々ＥＰ１ａ及びＥＰ１ｂとなる。また本実施例では、撮像素子は、２つの光電変換部２１１０ａと２１１０ｂのいずれか一方の出力と、両方の和の出力を得ることができる画素を有している。
【００６２】
両方の和の出力は、撮影光学系のほぼ全瞳領域である投影像ＥＰ１ａ、ＥＰ１ｂの両方の領域を通過した光束を光電変換したものである。
【００６３】
図５Ａで、撮影光学系を通過する光束の最外部をＬで示すと、光束Ｌは、絞りの開口板１０２ａで規制されており、投影像ＥＰ１ａ及びＥＰ１ｂは撮影光学系でケラレがほぼ発生していない。図５Ｂでは、図５Ａの光束Ｌを、ＴＬで示している。
【００６４】
ＴＬで示す円の内部に、光電変換部の投影像ＥＰ１ａ、ＥＰ１ｂの大部分が含まれていることからも、ケラレがほぼ発生していないことがわかる。光束Ｌは、絞りの開口板１０２ａでのみ制限されているため、ＴＬは、１０２ａと言い換えることができる。この際、像面中央では各投影像ＥＰ１ａないしＥＰ１ｂのけられ状態は光軸に対して対称となり、各光電変換部２１１０ａ及び２１１０ｂが受光する光量は等しい。
【００６５】
以上、図３、図４、図５で説明した様に、撮像素子１２２は撮像のみの機能だけではなく焦点検出装置としての機能も有している。また、焦点検出方法としては、射出瞳を分割した光束を受光する焦点検出用画素を備えているため、位相差検出方式ＡＦを行うことが可能である。
【００６６】
上述の説明では、水平方向に射出瞳を分割する構成を説明したが、撮像素子上に、垂直方向に射出瞳を分割する画素も合わせて設けてもよい。両方向に射出瞳を分割する画素を設けることにより、水平だけでなく、垂直方向の被写体のコントラストに対応した焦点検出を行うことができる。
【００６７】
（コントラスト方式ＡＦの説明）
次に、図６を用いて、コントラスト方式ＡＦの構成について説明する。図６では、図２のカメラＭＰＵ１２５及びＴＶＡＦ焦点検出部１３０を用いて算出される各種ＡＦ用評価値の算出の流れについて示している。
【００６８】
Ａ／Ｄ変換回路７で変換されたデジタル信号が、ＴＶＡＦ焦点検出部１３０に入力されると、ＡＦ評価用信号処理回路４０１で、ベイヤー配列信号からの緑（Ｇ）信号の抽出と、低輝度成分を強調して高輝度成分を抑圧するガンマ補正処理が施される。
【００６９】
本実施例では、ＴＶＡＦ焦点検出を緑（Ｇ）信号で行う場合を説明するが、赤（Ｒ）、青（Ｂ）、緑（Ｇ）の全ての信号を用いてもよい。また、ＲＧＢ全色用いて輝度（Ｙ）信号を生成してもよい。ＡＦ評価用信号処理回路４０１で生成される出力信号は、用いられた色によらず、以後の説明では、輝度信号Ｙと呼ぶこととする。
【００７０】
Ｙピーク評価値の算出方法について説明する。ガンマ補正された輝度信号Ｙは、水平ライン毎のラインピーク値を検出するためのラインピーク検出回路４０２へ入力される。この回路によって、領域設定回路４１２によって設定されたＡＦ評価範囲内で水平ライン毎のＹラインピーク値が求められる。
【００７１】
更に、ラインピーク検出回路４０２の出力は垂直ピーク検出回路４０５に入力される。この回路によって、領域設定回路４１４によって設定されたＡＦ評価範囲内で垂直方向にピークホールドが行われ、Ｙピーク評価値が生成される。Ｙピーク評価値は、高輝度被写体や低照度被写体の判定に有効である。
【００７２】
Ｙ積分評価値の算出方法について説明する。ガンマ補正された輝度信号Ｙは、水平ライン毎の積分値を検出するための水平積分回路４０３へ入力される。この回路によって、領域設定回路４１２によって設定されたＡＦ評価範囲内で水平ライン毎のＹの積分値が求められる。更に、水平成分回路４０３の出力は垂直積分回路４０６に入力される。
【００７３】
この回路によって、領域設定回路４１２によって設定されたＡＦ評価範囲内で垂直方向に積分が行われ、Ｙ積分評価値を生成される。Ｙ積分評価値は、ＡＦ評価範囲内全体の明るさを判断することができる。
【００７４】
Ｍａｘ−Ｍｉｎ評価値の算出方法について説明する。ガンマ補正された輝度信号Ｙは、ラインピーク検出回路４０２に入力され、ＡＦ評価範囲内で水平ライン毎のＹラインピーク値が求められる。また、ガンマ補正された輝度信号Ｙは、ライン最小値検出回路４０４に入力される。
【００７５】
この回路によって、輝度信号ＹのＡＦ評価範囲内で水平ライン毎のＹの最小値が検出される。検出された水平ライン毎のＹのラインピーク値及び最小値は減算器に入力され、（ラインピーク値−最小値）を計算した上で垂直ピーク検出回路４０７に入力される。
【００７６】
この回路によって、ＡＦ評価範囲内で垂直方向にピークホールドが行われ、Ｍａｘ−Ｍｉｎ評価値が生成される。Ｍａｘ−Ｍｉｎ評価値は、低コントラスト・高コントラストの判定に有効である。
【００７７】
領域ピーク評価値の算出方法について説明する。ガンマ補正された輝度信号Ｙは、ＢＰＦ４０８に通すことによって特定の周波数成分が抽出され焦点信号が生成される。この焦点信号は、水平ライン毎のラインピーク値を検出するためのピークホールド手段であるラインピーク検出回路４０９へ入力される。
【００７８】
ラインピーク検出回路４０９は、ＡＦ評価範囲内で水平ライン毎のラインピーク値を求める。求めたラインピーク値は、垂直ピーク検出回路４１１によってＡＦ評価範囲内でピークホールドされ、領域ピーク評価値が生成される。
【００７９】
領域ピーク評価値は、ＡＦ評価範囲内で被写体が移動しても変化が少ないので、合焦状態から再度合焦点を探す処理に移行するための再起動判定に有効である。
【００８０】
全ライン積分評価値の算出方法について説明する。領域ピーク評価値と同様に、ラインピーク検出回路４０９は、ＡＦ評価範囲内で水平ライン毎のラインピーク値を求める。次に、ラインピーク値を垂直積分回路４１０に入力し、ＡＦ評価範囲内で垂直方向に全水平走査ライン数について積分して全ライン積分評価値を生成する。
【００８１】
高周波全ライン積分評価値は、積分の効果でダイナミックレンジが広く、感度が高いので、合焦位置の検出を行うためのＡＦのメインの評価値として有効である。
【００８２】
本実施例では、デフォーカス状態に応じて評価値が変化し、焦点調節に用いる全ライン積分評価値を焦点評価値と称する。
【００８３】
領域設定回路４１３は、カメラＭＰＵ１２５により設定された画面内の所定の位置にある信号を選択するためのＡＦ評価範囲用のゲート信号を生成する。
【００８４】
ゲート信号は、ラインピーク検出回路４０２、水平積分回路４０３、ライン最小値検出回路４０４、ラインピーク検出回路４０９、垂直積分回路４０６、４１０垂直ピーク検出回路４０５、４０７、４１１の各回路に入力される。
【００８５】
そして、各焦点評価値がＡＦ評価範囲内の輝度信号Ｙで生成されるように、輝度信号Ｙが各回路に入力するタイミングが制御される。
【００８６】
また、領域設定回路４１３は、ＡＦ評価範囲に合わせて、複数の領域の設定が可能である。
【００８７】
ＡＦ制御部１５１は、各焦点評価値を取り込み、フォーカス駆動回路１１６を通じてフォーカスアクチュエータ１１３を制御し、フォーカスレンズ１０４を光軸方向に移動させてＡＦ制御を行う。
【００８８】
本実施例では、各種のＡＦ用評価値を上述の通り水平ライン方向に算出するのに加えて、垂直ライン方向にも算出する。これにより、水平、垂直いずれの方向の被写体のコントラスト情報に対しても焦点検出を行うことができる。
【００８９】
コントラスト方式のＡＦを行う際には、フォーカスレンズ１０４を駆動しながら、上述した各種のＡＦ用評価値を算出する。全ライン積分評価値が最大値となるフォーカスレンズ位置を検出することにより、焦点検出を行う。
【００９０】
（焦点検出領域の説明）
図７は、撮影範囲内における焦点検出領域を示す図で、この焦点検出領域内で撮像素子１２２から得られた信号に基づいて撮像面位相差ＡＦと及びＴＶＡＦが行われる。図７の焦点検出領域は、図３に示す撮影レンズの水平方向（横方向）に瞳分割を行う画素を含む焦点検出部を備えている。
【００９１】
また、点線で示す長方形は撮像素子１２２の画素が形成された撮影範囲２１７を示す。撮影範囲２１７内には撮像面位相差ＡＦを行う３つの横方向の焦点検出領域２１８ａｈ、２１８ｂｈ、２１８ｃｈが形成されている。本実施の形態では、位相差検出方式の焦点検出領域を図のように撮影範囲２１７の中央部と左右２箇所の計３箇所を備える構成とした。
【００９２】
また、３つの撮像面位相差ＡＦを行う焦点検出領域のそれぞれを包含する形で、ＴＶＡＦを行う焦点検出領域２１９ａ、２１９ｂ、２１９ｃが形成されている。ＴＶＡＦを行う焦点検出領域では図６の水平方向と垂直方向の焦点評価値を用いて、コントラスト検出を行う。
【００９３】
なお、図７に示す例では、大きくわけて３つの領域に焦点検出領域を配置した例を示しているが、本発明は３つの領域に限られるものではなく、任意の位置に複数の領域を配置してもよい。
【００９４】
（焦点検出処理の流れの説明）
次に、図１を参照して、上記構成を有するデジタルカメラにおける本実施の形態による焦点検出（ＡＦ）処理について説明する。なお、本発明の実施の形態によるＡＦ処理の概要は次の通りである。まず、焦点検出領域２１８ａｈ、２１８ｂｈ、２１８ｃｈそれぞれについて、焦点ずれ量（デフォーカス量）と信頼性とを求める。
【００９５】
そして、所定の信頼性を有するデフォーカス量が得られた領域と、得られなかった領域に区分する。全ての焦点検出領域２１８ａｈ、２１８ｂｈ、２１８ｃｈにおいて所定の信頼性を有するデフォーカス量が得られていれば、最至近の被写体に合焦するようにフォーカスレンズ１０４を駆動する。
【００９６】
一方、所定の信頼性を有するデフォーカス量が得られなかった領域が存在する場合、焦点検出領域２１９ａ〜ｃの内、対応する領域について、フォーカスレンズ駆動前後の焦点評価値の変化量を用いて、より至近側に被写体が存在するか判定する。
【００９７】
そして、より至近側に被写体が存在すると判定された場合は、焦点評価値の変化に基づき、フォーカスレンズ１０４を駆動する。ただし、これより以前に焦点評価値が得られていない場合には焦点評価値の変化量を求めることができない。その場合、予め決められたデフォーカス量よりも大きい、所定の信頼性を有するデフォーカス量が得られた領域が存在する場合には、最至近の被写体に合焦するようにフォーカスレンズ１０４を駆動する。
【００９８】
それ以外の場合、即ち、所定の信頼性を有するデフォーカス量が得られた領域が存在しない場合、及び、得られたデフォーカス量が予め決められたデフォーカス量以下の場合には、デフォーカス量に関係のない所定量のレンズ駆動を行う。
【００９９】
なお、デフォーカス量が小さい場合にデフォーカス量に関係のない所定量のレンズ駆動を行う理由は、そのデフォーカス量に基づくレンズ駆動量では、次の焦点検出時に、焦点評価値の変化を検出することが難しい可能性が高いからである。
【０１００】
いずれかの方法により、焦点検出を終えると、各種の補正値の算出を行い、焦点検出結果の補正を行う。補正の施された焦点検出結果に基づき、フォーカスレンズ１０４の駆動を行い焦点調節処理を終える。
【０１０１】
以下、上記ＡＦ処理について、詳細に説明する。図１（ａ）、図１（ｂ）は、撮像装置のＡＦ動作手順を示すフローチャートである。この動作に関する制御プログラムは、カメラＭＰＵ１２５によって実行される。カメラＭＰＵ１２５は、ＡＦ動作を開始すると、Ｓ１においてまず被写体に対する焦点調節を行うための焦点検出領域を設定する。このＳ１の処理では、図６に示したように３か所の焦点検出領域が設定される。
【０１０２】
次にＳ２において、至近判定フラグを１に設定する。Ｓ３では、各焦点検出領域で、焦点検出に必要な信号を取得する。具体的には、撮像素子１２２で露光を行った後、撮像面位相差ＡＦ用の焦点検出領域２１８ａｈ、２１８ｂｈ、２１８ｃｈ内の焦点検出用画素の像信号を取得する。
【０１０３】
ここで、取得した像信号に対して、特開２０１０−１１７６７９号公報に記載の補正処理を行ってもよい。更に、撮像素子１２２で露光を行った後、ＴＶＡＦに用いる焦点検出領域２１９ａ、２１９ｂ、２１９ｃの領域内の画素信号を取得し、焦点評価値を算出する。算出された焦点評価値は、ＲＡＭ１２５ｂに記憶される。
【０１０４】
次に、Ｓ４において、焦点評価値のピーク（極大値）が検出されたか否かを判定する。これは、コントラスト検出方式の焦点検出を行うためのもので、信頼性のあるピークが検出された場合には、焦点検出を終えるため、Ｓ２０に進む。焦点評価値の信頼性は、例えば、特開２０１０−０７８８１０号公報の図１０から図１３で説明されているような方法を用いればよい。
【０１０５】
つまり、合焦状態を示す焦点評価値が山状になっているか否かを、焦点評価値の最大値と最小値の差、一定値（ＳｌｏｐｅＴｈｒ）以上の傾きで傾斜している部分の長さ、および傾斜している部分の勾配から判断する。これにより、ピークの信頼性判定を行うことができる。
【０１０６】
本実施例では、位相差検出方式のＡＦと併用しているため、同一の焦点検出領域や他の焦点検出領域で、より至近側の被写体の存在が確認されている場合には、信頼性のある焦点評価値ピークが検出された際であっても、焦点検出を終えずに、Ｓ５に進んでもよい。
【０１０７】
その場合、焦点評価値ピークの位置に対応するフォーカスレンズ１０４位置を記憶しておき、以後、信頼性のある焦点検出結果が得られなかった場合に、記憶したフォーカスレンズ１０４位置を焦点検出結果とする。
【０１０８】
次に、Ｓ５において、撮像面位相差ＡＦ用の各焦点検出領域について、得られた一対の像信号のずれ量を算出し、予め記憶されているデフォーカス量への換算係数を用いて、デフォーカス量を算出する。ここでは、算出されるデフォーカス量の信頼性も判定し、所定の信頼性を有すると判定された焦点検出領域のデフォーカス量のみを、以後のＡＦ処理で用いる。
【０１０９】
撮影レンズによるケラレの影響により、デフォーカス量が大きくなるにつれて、検出される対の像信号のずれ量は、より多くの誤差を含むようになる。そのため、算出されるデフォーカス量が大きい場合や、対の像信号の形状の一致度が低い場合、対の像信号のコントラストが低い場合には、高精度な焦点検出は不可能と判断、言い換えると、算出されたデフォーカス量の信頼性が低いと判断する。
【０１１０】
以下、算出されたデフォーカス量が所定の信頼性を有する場合に「デフォーカス量が算出された」と表現し、デフォーカス量が何らかの理由で算出できない、または、算出されたデフォーカス量の信頼性が低い場合に「デフォーカス量が算出できない」と表現する。
【０１１１】
次に、Ｓ６では、Ｓ１で設定した複数の焦点検出領域２１８ａｈ、２１８ｂｈ、２１８ｃｈの全てでデフォーカス量が算出できたか否かを判断する。全ての焦点検出領域でデフォーカス量が算出できた場合にはＳ２０に進み、算出されたデフォーカス量の中で、最も至近側にある被写体を示すデフォーカス量が算出された焦点検出領域に対して、縦横ＢＰ補正値（ＢＰ１）を算出する。
【０１１２】
ここで、最も至近側の被写体を選択する理由は、一般に、撮影者がピントを合わせたい被写体は、至近側に存在することが多いためである。縦横ＢＰ補正値（ＢＰ１）は、水平方向の被写体のコントラストに対して焦点検出を行った場合と、垂直方向の被写体のコントラストに対して焦点検出を行った場合の焦点検出結果の差を補正するものである。
【０１１３】
一般的には、被写体は、水平方向、垂直方向ともにコントラスを有しており、撮影された画像のピント状態の評価も、水平方向、垂直方向の両方向のコントラストを鑑みてなされる。一方で、上述の位相差検出方式のＡＦのように水平方向のみの焦点検出を行う場合、水平方向の焦点検出結果と撮影画像の水平方向、垂直方向の両方向のピント状態には誤差を生じる。
【０１１４】
この誤差は、撮影光学系の非点収差などにより発生する。縦横ＢＰ補正値（ＢＰ１）は、その誤差を補正するための補正値である。また、縦横ＢＰ補正値（ＢＰ１）は、選択された焦点検出領域、フォーカスレンズ１０４の位置、ズーム状態を示す第１レンズ群１０１の位置などを鑑みて、算出される。算出方法の詳細については後述する。
【０１１５】
次に、Ｓ２１では、Ｓ２０で補正値算出対象となった焦点検出領域に対して、垂直もしくは水平の１方向のコントラスト情報を用いて、色ＢＰ補正値（ＢＰ２）を算出する。色ＢＰ補正値（ＢＰ２）は、撮影光学系の色収差により発生するもので、焦点検出に用いる信号の色のバランスと撮影画像もしくは現像された画像に用いる信号の色のバランスとの差により生じる。例えば、本実施例でコントラスト検出式の焦点検出を行う場合、用いられる焦点評価値は、緑（Ｇ）のカラーフィルタを有する画素出力により生成されるため、主に緑色の波長の合焦位置を検出することとなる。
【０１１６】
一方で、撮影画像は、ＲＧＢ全色を用いて生成されるため、赤（Ｒ）や青（Ｂ）の合焦位置が緑（Ｇ）と異なる場合、焦点評価値による焦点検出結果とずれ（誤差）を生じる。その誤差を、補正するための補正値が、色ＢＰ補正値（ＢＰ２）である。色ＢＰ補正値（ＢＰ２）の算出方法の詳細は、後述する。
【０１１７】
次に、Ｓ２２では、Ｓ２０、Ｓ２１の補正対象である焦点検出領域に対して、垂直もしくは水平の１方で、緑もしくは輝度信号Ｙのコントラスト情報を用いてある特定の色空間周波数ＢＰ補正値（ＢＰ３）を算出する。空間周波数ＢＰ補正値（ＢＰ３）は、撮影光学系の主に球面収差により発生するもので、焦点検出に用いる信号の評価周波数（帯域）と撮影画像を鑑賞する際の評価周波数（帯域）の差によって発生する。
【０１１８】
上述の通り焦点検出の際には、撮像素子から出力信号を読み出すモードが第２の読み出しモードであるため、出力信号が加算や間引きがされている。そのため、第１の読み出しモードで読み出された全画素の信号を用いて生成される撮影画像に対して、焦点検出に用いる出力信号は評価帯域が低くなる。その評価帯域の差により、空間周波数ＢＰ補正値（ＢＰ３）は発生する。空間周波数ＢＰ補正値（ＢＰ３）の算出方法の詳細は、後述する。
【０１１９】
次に、Ｓ２３では、ここまでで算出された３種の補正値（ＢＰ１、ＢＰ２、ＢＰ３）を用いて以下の式により焦点検出結果ＤＥＦ＿Ｂを補正し、ＤＥＦ＿Ａを算出する。
（式１）
ＤＥＦ＿Ａ＝ＤＥＦ＿Ｂ＋ＢＰ１＋ＢＰ２＋ＢＰ３
【０１２０】
第１の実施例では、焦点検出結果を補正するための補正値を３段階に分けて、縦横、色、空間周波数の順番に、計算する。
【０１２１】
まず、縦横ＢＰ補正値の算出を行うことにより、撮影画像の鑑賞時の評価が縦横両方向のコントラスト情報を用いられるのに対して、焦点検出は、いずれか１方向のコントラスト情報を用いるために発生する誤差を算出する。
【０１２２】
次に、色ＢＰ補正値は、縦横ＢＰの影響を切り離して、１方向のコントラスト情報において、撮影画像の鑑賞時と焦点検出時に信号に用いられる色による合焦位置の差を、補正値として算出している。
【０１２３】
さらに、空間周波数ＢＰ補正値は、１方向のコントラスト情報で、緑もしくは輝度信号などのある特定の色に関して、撮影画像の鑑賞時と焦点検出時の評価帯域の差により発生する合焦位置の差を補正値として算出している。
【０１２４】
このように、３種類の誤差を切り分けて算出することにより、演算量の低減、レンズもしくはカメラに記憶するデータ容量の低減を図っている。
【０１２５】
Ｓ２４では、式１で算出された補正後のデフォーカス量ＤＥＦ＿Ａに基づいてフォーカスレンズ１０４の駆動を行う（合焦制御）。
【０１２６】
次に、Ｓ２５に進み、レンズ駆動に用いたデフォーカス量が算出された焦点検出領域に関して、表示器１２６に合焦表示を行い、ＡＦ処理を終了する。
【０１２７】
一方、Ｓ６でデフォーカス量が算出できない焦点検出領域が存在した場合には、図１（ｂ）のＳ７に進む。
【０１２８】
Ｓ７では、至近判定フラグが１であるか否かを判定する。至近判定フラグは、ＡＦ動作が始まってから、レンズ駆動が一度も行われていない場合に１となり、レンズ駆動が複数回行われている場合に０となるフラグである。至近判定フラグが１である場合には、Ｓ８に進む。
【０１２９】
Ｓ８では、全ての焦点検出領域でデフォーカス量を算出できなかった場合、もしくは、算出されたデフォーカス量のうち、最も至近側の被写体の存在を示すデフォーカス量が所定の閾値Ａ以下の場合には、Ｓ９に進む。Ｓ９では、至近側に予め決められた量のレンズ駆動を行う。
【０１３０】
ここで、Ｓ８でＹｅｓの場合に、所定量のレンズ駆動を行う理由を説明する。まず、複数の焦点検出領域の中で、デフォーカス量が算出できた領域が無い場合とは、現時点では、ピント合わせを行うべき被写体が見つかっていない場合である。そのため、合焦不能であると判断する前に、全ての焦点検出領域に対して、ピント合わせを行うべき被写体の存在を確認するために、所定量のレンズ駆動を行い、後述する焦点評価値の変化を判定できるようにする。
【０１３１】
また、算出されたデフォーカス量の中で最も至近側の被写体の存在を示すデフォーカス量が所定の閾値Ａ以下の場合とは、現時点で、ほぼ合焦状態の焦点検出領域が存在している場合である。
【０１３２】
このような状況では、デフォーカス量が算出できなかった焦点検出領域に、より至近側に、現時点では検出されていない被写体がある可能性を確認するために、所定量のレンズ駆動を行い、後述する焦点評価値の変化を判定できるようにする。
【０１３３】
なお、ここでのレンズ駆動量は、撮影光学系のＦ値やレンズ駆動量に対する撮像素子面上でのピント移動量の敏感度を鑑みて定めればよい。
【０１３４】
一方で、Ｓ８でＮｏの場合、すなわち、算出されたデフォーカス量の中で最も至近側の被写体の存在を示すデフォーカス量が所定の閾値Ａより大きい場合には、Ｓ１０に進む。この場合には、デフォーカス量が算出された焦点検出領域は存在するものの、その焦点検出領域は合焦状態ではない場合である。
【０１３５】
そのため、Ｓ１０では、算出されたデフォーカス量の中で最も至近側の被写体の存在を示すデフォーカス量に基づき、レンズ駆動を行う。
【０１３６】
Ｓ９もしくはＳ１０にてレンズ駆動を行った後、Ｓ１１に進み、至近判定フラグを０に設定し、図１（ａ）のＳ３に戻る。
【０１３７】
Ｓ７で、至近判定フラグが１ではない（０である）場合にはＳ１２に進む。Ｓ１２で、デフォーカス量が算出できなかった焦点検出領域に対応したＴＶＡＦ用の焦点検出領域の焦点評価値が、レンズ駆動前後で、所定の閾値Ｂ以上変化したか否かを判断する。ここでは、焦点評価値は、増加する場合も減少する場合もあるが、焦点評価値の変化量の絶対値が、所定の閾値Ｂ以上であるか否かを判断する。
【０１３８】
Ｓ１２において、焦点評価値の変化量の絶対値が、所定の閾値Ｂ以上である場合とは、デフォーカス量は算出できないものの、焦点評価値の増減により、被写体のボケ状態の変化を検出できたことを意味している。そのため、本実施の形態では、撮像面位相差ＡＦによるデフォーカス量が検出できない場合でも、焦点評価値の増減に基づいて被写体の存在を判定し、ＡＦ処理を継続する。
【０１３９】
これにより、デフォーカス量が大きく、撮像面位相差ＡＦでは検出できない被写体に対して、焦点調節を行うことができる。
【０１４０】
ここで、判定に用いられる所定の閾値Ｂは、事前に行われたレンズ駆動量に応じて変更する。レンズ駆動量が大きい場合には、閾値Ｂとしてより大きい値を設定し、レンズ駆動量が小さい場合には、閾値Ｂとしてより小さい値を設定する。
【０１４１】
これは、被写体が存在する場合には、レンズ駆動量の増加に応じて、焦点評価値の変化量も増加するためである。これらのレンズ駆動量毎の閾値Ｂは、ＥＥＰＲＯＭ１２５ｃに記憶されている。
【０１４２】
焦点評価値の変化量の絶対値が、所定の閾値Ｂ以上である場合にはＳ１３に進み、焦点評価値の変化量が閾値以上ある焦点検出領域が、無限遠側被写体の存在を示す焦点検出領域のみであるか否かを判定する。
【０１４３】
焦点検出領域が無限遠側被写体の存在を示す場合とは、レンズ駆動の駆動方向が至近方向で焦点評価値が減少、もしくは、レンズ駆動の駆動方向が無限遠方向で焦点評価値が増加した場合である。
【０１４４】
焦点評価値の変化量が閾値Ｂ以上である焦点検出領域が、無限遠側被写体の存在を示す焦点検出領域のみでない場合にはＳ１４に進み、至近側に所定量のレンズ駆動を行う。これは、焦点評価値の変化量が閾値Ｂ以上ある焦点検出領域の中に、至近側被写体の存在を示す焦点検出領域があるためである。なお、至近側を優先する理由は上述のとおりである。
【０１４５】
一方、Ｓ１３において、焦点評価値の変化量が閾値Ｂ以上ある焦点検出領域が、無限遠側被写体の存在を示す焦点検出領域のみである場合、Ｓ１５に進む。Ｓ１５では、デフォーカス量が算出された焦点検出領域が存在するか否かを判定する。
【０１４６】
デフォーカス量が算出された焦点検出領域が存在する場合（Ｓ１５でＹｅｓ）には、焦点評価値による無限遠側被写体の存在よりも、撮像面位相差ＡＦの結果を優先するため、図１（ａ）のＳ２０に進む。
【０１４７】
デフォーカス量が算出された焦点検出領域が存在しない場合（Ｓ１５でＮｏ）には、被写体の存在を示す情報が、焦点評価値の変化のみであるため、その情報を用いて、Ｓ１６で無限遠側に所定量のレンズ駆動を行う。無限遠側に所定量のレンズ駆動を行った後、図１（ａ）のＳ３に戻る。
【０１４８】
Ｓ１４及びＳ１６で行うレンズ駆動の駆動量は、撮像面位相差ＡＦで検出可能なデフォーカス量を鑑みて決めればよい。被写体によって検出可能なデフォーカス量は異なるが、焦点検出不可能な状態からのレンズ駆動で、被写体を検出できずに通り過ぎてしまうことがないようなレンズ駆動量を予め設定しておく。
【０１４９】
焦点評価値の変化量の絶対値が所定の閾値Ｂ未満である場合には（Ｓ１２でＮｏ）、Ｓ１７に進む。Ｓ１７では、デフォーカス量が算出された焦点検出領域の有無を判定する。デフォーカス量が算出された焦点検出領域が無い場合にはＳ１８に進み、予め定められた定点にレンズを駆動した後、Ｓ１９に進み、表示器１２６に非合焦表示を行い、ＡＦ処理を終了する。これは、デフォーカス量が算出された焦点検出領域が無く、レンズ駆動の前後で焦点評価値の変化がある焦点検出領域も無い場合である。このような場合には、被写体の存在を示す情報が全く無いため、合焦不能として、ＡＦ処理を終了する。
【０１５０】
一方、Ｓ１７で、デフォーカス量が算出できた焦点検出領域が有る場合には、図１（ａ）のＳ２０に進み、検出されたデフォーカス量の補正を行い（Ｓ２０〜Ｓ２３）、Ｓ２４で合焦位置へフォーカスレンズ１０４を駆動する。その後、Ｓ２５で表示器１２６に合焦表示を行い、ＡＦ処理を終了する。
【０１５１】
（縦横ＢＰ補正値の算出方法）
次に、図８から図１０を用いて、図１のＳ２０で行う縦横ＢＰ補正値（ＢＰ１）の算出方法について説明する。
【０１５２】
図８は、図１のＳ２０で行う処理の詳細を示す縦横ＢＰ補正値（ＢＰ１）を算出する流れを示したサブルーチンである。
【０１５３】
Ｓ１００で、縦横ＢＰ補正情報の取得を行う。縦横ＢＰ補正情報は、カメラＭＰＵ１２５の要求に応じて、レンズＭＰＵ１１７を通じて、得られる情報であり、水平方向（第１の方向）の合焦位置に対する垂直方向（第２の方向）の合焦位置の差分情報である。
【０１５４】
図９は、レンズメモリ１１８に格納されている縦横ＢＰ補正情報の例を示している。図９は、図７の中央の焦点検出領域２１９ａ、２１８ａｈに対応した補正値を示している。同様に、他の２個の焦点検出領域についても焦点検出補正値を記憶している。但し、結像光学系の光軸に対して対称な焦点検出領域については、設計上の焦点検出補正値は等しくなる。
【０１５５】
従って、３つの焦点検出領域に対して、２つの焦点検出補正値のテーブルを記憶していればよい。また、焦点検出領域の位置によって補正値が大きく変化しない場合には、共通の値として記憶すればよい。
【０１５６】
図９において、撮影光学系のズーム位置とフォーカス位置を８つのゾーンに分割し、その分割ゾーンごとに焦点検出補正値ＢＰ１１１〜ＢＰ１８８を備える構成としている。従って、撮影光学系のフォーカスレンズ１０４、第１レンズ群１０１の位置に応じて高精度な補正値を得られる構成となっている。
【０１５７】
また、縦横ＢＰ補正情報は、コントラスト検出方式、位相差検出方式の両方に用いることができる。
【０１５８】
Ｓ１００では、補正対象となっている焦点検出結果に応じたズーム位置、フォーカス位置に対応した補正値を取得する。
【０１５９】
次に、Ｓ１０１で、補正対象となっている焦点検出領域において、水平方向、垂直方向のいずれの方向に対しても信頼性のある焦点検出結果が得られているかを判定する。焦点検出結果の信頼性の判定の方法については、位相差検出方式についてもコントラスト検出方式についても上述した通りである。第１の実施例において、水平方向、垂直方向の両方向に信頼性のある焦点検出結果が得られるのはコントラスト検出方式の場合である。
【０１６０】
そのため、縦横ＢＰ補正値に関する以後の説明は、コントラスト検出方式を想定した説明を行うが、位相差検出式の焦点検出が水平方向、垂直方向の両方向に可能である場合も、同様の処理を行えばよい。Ｓ１０１で、水平方向、垂直方向のいずれの焦点検出結果に対しても信頼性が有る場合には、Ｓ１０２に進む。
【０１６１】
Ｓ１０２で、水平方向の焦点検出結果と垂直方向の焦点検出結果の差が、妥当であるか否かを判定する。これは、遠い距離の被写体と近い距離の被写体を焦点検出領域内に含んだ際に生じる遠近競合の問題に対応するために行う処理である。
【０１６２】
例えば、遠い距離に水平方向にコントラストがある被写体が存在し、近い距離に垂直方向にコントラストがある被写体が存在した場合である。
【０１６３】
その場合、撮影光学系の非点収差などにより発生する誤差より絶対値が大きかったり、符号が反対の焦点検出結果の差が生じたりする場合がある。
【０１６４】
このように、水平方向の焦点検出結果と垂直方向の焦点検出結果の差が、判定値Ｃに対して大きく差がある場合には、遠近競合していると判断し、より至近側の焦点検出結果を示す方向として水平方向もしくは垂直方向を選択し、Ｓ１０４に進む。判定値Ｃは、上述の理由から、補正値としてあり得ない値を判定するために一意に決めてもよいし、Ｓ１００で得られた補正情報を用いて設定してもよい。
【０１６５】
Ｓ１０２で水平方向の焦点検出結果と垂直方向の焦点検出結果の差が、妥当であると判定されると、Ｓ１０３に進み、ＢＰ１＝０とし、縦横ＢＰ補正値算出のサブルーチンを終える。この場合には、補正値を用いずに、水平方向と垂直方向の焦点検出結果を用いて焦点検出を行う。
【０１６６】
コントラスト検出方式の場合には、水平方向と垂直方向の焦点評価値の極大値の比などの大小関係に応じて、焦点検出結果の重みづけを行い水平方向と垂直方向を加味した焦点検出結果を得る。位相差検出方式の場合も同様に、相関演算に用いられる相関量を用いて焦点検出結果の重みづけを行えばよい。
【０１６７】
一方で、Ｓ１０１で水平方向、もしくは垂直方向の一方向にのみ信頼性が有る場合や、Ｓ１０２で水平方向もしくは垂直方向の一方向のみが選択され場合には、Ｓ１０４に進む。Ｓ１０４で、焦点検出結果の方向選択を行う。信頼性のある焦点検出結果を算出した方向や、遠近競合判定で、より至近側にある被写体に対応した焦点検出結果を算出した方向を選択する。
【０１６８】
次に、Ｓ１０５で、水平方向、垂直方向の重み付けが可能であるか否かを判定する。Ｓ１０５で判定を行う際には、焦点評価値の信頼性や遠近競合の観点で、水平方向、垂直方向の両方向に対して信頼性のある焦点検出結果が得られていないが、Ｓ１０５では改めて、縦横ＢＰ補正値を算出するための判定を行う。図１０を用いて、詳細に説明する。
【０１６９】
図１０は、選択された焦点検出領域のフォーカスレンズ１０４の位置と焦点評価値の関係を示した図である。図中のＥ＿ｈ、Ｅ＿ｖは、コントラスト検出方式で検出された水平方向の焦点評価値と垂直方向の焦点評価値の変化を示す曲線である。
【０１７０】
また、ＬＰ１、ＬＰ２、ＬＰ３は、それぞれフォーカスレンズ位置を示すものである。図１０では、水平方向の焦点評価値Ｅ＿ｈから信頼性のある焦点検出結果としてＬＰ３が得られ、垂直方向の焦点評価値Ｅ＿ｖから信頼性のある焦点検出結果としてＬＰ１が得られた場合を示している。
【０１７１】
ＬＰ１とＬＰ３はフォーカスレンズ位置が大きく異なっている、すなわち、遠近競合状態であるため、より至近側の焦点検出結果である水平方向の焦点検出結果ＬＰ３がＳ１０４で選択されている。
【０１７２】
このような状況で、Ｓ１０５では、選択されている水平方向の焦点検出結果ＬＰ１近傍に、垂直方向の焦点検出結果が存在しないか否かを判定する。図１０のような状況では、ＬＰ２が存在するため、Ｓ１０６に進み、焦点検出結果ＬＰ３の補正値を、焦点検出結果ＬＰ２の影響を考慮に入れて算出する。
【０１７３】
Ｓ１０６では、縦横ＢＰ補正情報として図９の１要素であるＢＰ１＿Ｂを取得している。
【０１７４】
図１０におけるＬＰ３の位置における水平方向の焦点評価値Ｅ＿ｈｐとＬＰ１における垂直方向の焦点評価値Ｅ＿ｖｐを用いて、縦横ＢＰ補正値ＢＰ１は下記の式で算出される。
（式２）
ＢＰ１＝ＢＰ１＿Ｂ×Ｅ＿ｖｐ／（Ｅ＿ｖｐ＋Ｅ＿ｈｐ）×（＋１）
【０１７５】
第１の実施例では、水平方向の焦点検出結果に対する補正値を算出するため、式２を用いて補正値ＢＰ１を算出するが、垂直方向の焦点検出結果を補正する場合には、下記の式で算出される。
（式３）
ＢＰ１＝ＢＰ１＿Ｂ×Ｅ＿ｈｐ／（Ｅ＿ｖｐ＋Ｅ＿ｈｐ）×（−１）
【０１７６】
式２、式３から自明であるように、焦点評価値が大きいという情報を、被写体に含まれるコントラスト情報が多いと判定して、縦横ＢＰ補正値（ＢＰ１）を算出する。
【０１７７】
上述の通り、縦横ＢＰ補正情報は、（垂直方向にのみコントラスト情報をもつ被写体の焦点検出位置）−（水平方向にのみコントラスト情報を持つ被写体の焦点検出位置）である。そのため、水平方向の焦点検出結果を補正する補正値ＢＰ１と垂直方向の焦点検出結果を補正する補正値ＢＰ１の符号は反対となる。Ｓ１０６の処理を終えると、縦横ＢＰ補正値算出のサブルーチンを終了する。
【０１７８】
一方で、Ｓ１０５で、選択されている水平方向の焦点検出結果ＬＰ１近傍に、垂直方向の焦点検出結果が存在しない場合には、Ｓ１０３に進む。Ｓ１０３では、被写体に含まれるコントラスト情報は、概ね１方向のみであると判断されるため、ＢＰ１＝０とする。Ｓ１０７の処理を終えると、縦横ＢＰ補正値算出のサブルーチンを終了する。
【０１７９】
このように、被写体の方向毎のコントラスト情報に応じて、補正値を算出するため、被写体のパターンに応じた高精度な補正値算出を行うことができる。
【０１８０】
図１０では、遠近競合している場合を説明したが、水平方向と垂直方向に１つずつ極大値が検出されており、片方の焦点検出結果に信頼性が無い場合も、同様に補正値を算出する。
【０１８１】
第１の実施例では、Ｓ１０５で被写体の方向毎のコントラスト情報に基づき補正値を算出したが、補正値の算出方法はこれに限らない。例えば、第１の実施例の位相差検出方式の焦点検出のように、水平方向のみ焦点検出が行える場合には、被写体の水平方向と垂直方向のコントラストの情報量は同量であると仮定し、補正値を算出してもよい。
【０１８２】
その場合には、上述の式２、式３において、Ｅ＿ｈｐ＝Ｅ＿ｖｐ＝１を代入することにより補正値を算出することができる。このような処理を行うことにより、補正精度は落ちるが、補正値演算の負荷を減らすことができる。
【０１８３】
上述の説明では、コントラスト検出方式の焦点検出結果に対して説明したが、位相差検出方式の焦点検出結果に対しても同様の処理を行うことが可能である。補正値算出の際の重み付けの係数として、位相差検出方式の相関演算で算出される相関量の変化量を用いればよい。
【０１８４】
これは、被写体の明暗差が大きい場合や明暗差のあるエッジの数が多い場合など、被写体のコントラスト情報が多ければ多いほど、相関量の変化量も大きくなることを利用している。同様の関係が得られる評価値であれば、相関量の変化量に限らず、種々の評価値を用いてよい。
【０１８５】
このように、縦横ＢＰ補正値を用いて、焦点検出結果を補正することにより、被写体の方向毎のコントラスト情報の量によらず、高精度な焦点検出を行うことができる。また、水平方向、垂直方向の補正値を図９に示したような共通の補正情報を用いて算出しているため、方向毎に各々の補正値を記憶する場合に比べて、補正情報の記憶容量を低減することができる。
【０１８６】
また、方向毎の焦点検出結果が、大きく異なる場合には、これらの焦点検出結果を用いた縦横ＢＰ補正値の算出を行わないことにより、遠近競合の影響を低減することができる。さらに、遠近競合が想定される場合においても、方向毎の焦点評価値の大小により補正値の重みづけを行うことにより、より高精度な補正を行うことができる。
【０１８７】
つまり、第１の評価帯域は、複数の評価領域を含んでおり、焦点調節手段は、複数の評価帯域の結像位置に関する情報に重み付けを行った情報を用いて記録用信号の焦点調節を行っている。
【０１８８】
（色ＢＰ補正値の算出方法）
次に、図１１、図１２を用いて、図１のＳ２０で行う色ＢＰ補正値（ＢＰ２）の算出方法について説明する。
【０１８９】
図１１は、図１のＳ２１で行う処理の詳細を示す色ＢＰ補正値（ＢＰ２）を算出する流れを示したサブルーチンである。
【０１９０】
Ｓ２００で、色ＢＰ補正情報の取得を行う。色ＢＰ補正情報は、カメラＭＰＵ１２５の要求に応じて、レンズＭＰＵ１１７を通じて、得られる情報であり、緑（Ｇ）の信号を用いて検出される合焦位置に対する他の色（赤（Ｒ）、青（Ｂ））の信号を用いて検出される合焦位置の差分情報である。
【０１９１】
図１２は、レンズメモリ１１８に格納されている色ＢＰ補正情報の例を示している。図１２は、図７の中央の焦点検出領域２１９ａ、２１８ａｈに対応した補正値を示している。同様に、他の２個の焦点検出領域についても焦点検出補正値を記憶している。
【０１９２】
但し、結像光学系の光軸に対して対称な焦点検出領域については、設計上の焦点検出補正値は等しくなる。従って、３つの焦点検出領域に対して、２つの焦点検出補正値のテーブルを記憶していればよい。また、焦点検出領域の位置によって補正値が大きく変化しない場合には、共通の値として記憶すればよい。
【０１９３】
図１２において、図９と同様に、撮影光学系のズーム位置とフォーカス位置を８つのゾーンに分割し、その分割ゾーンごとに焦点検出補正値ＢＰ２１１〜ＢＰ２８８とＢＰ３１１〜３８８を備える構成としている。従って、撮影光学系のフォーカスレンズ１０４、第１レンズ群１０１の位置に応じて高精度な補正値を得られる構成となっている。
【０１９４】
図１２（ａ）の焦点検出補正値ＢＰ２１１〜ＢＰ２８８は、緑（Ｇ）のカラーフィルタを有する画素の出力信号を用いて検出される焦点検出結果に対する赤（Ｒ）のカラーフィルタを有する画素の出力信号を用いて検出される焦点検出結果の差分である。
【０１９５】
図１２（ｂ）の焦点検出補正値ＢＰ３１１〜ＢＰ３８８は、緑（Ｇ）のカラーフィルタを有する画素の出力信号を用いて検出される焦点検出結果に対する青（Ｂ）のカラーフィルタを有する画素の出力信号を用いて検出される焦点検出結果の差分である。
【０１９６】
第１の実施例における緑（Ｇ）、赤（Ｒ）、青（Ｂ）は、上述の撮像素子上の画素に施されるカラーフィルタ毎に得られる信号を意味しているが、各色の定義は、これに限らない。例えば、別途、被写体の分光情報を検出する分光検出手段を有し、分光検出手段の出力に合わせて、緑（Ｇ）、赤（Ｒ）、青（Ｂ）の波長もしくは波長域を設定してもよい。
【０１９７】
また、色ＢＰ補正情報は、コントラスト検出方式、位相差検出方式の両方に用いることができる。
【０１９８】
Ｓ２００では、補正対象となっている焦点検出結果に応じたズーム位置、フォーカス位置に対応した補正値を取得する。
【０１９９】
次に、Ｓ２０１で、色ＢＰ補正値の算出を行う。Ｓ２００で、図１２（ａ）の１要素でとしてＢＰ＿Ｒ、図１２（ｂ）の１要素としてＢＰ＿Ｂを取得している場合には、色ＢＰ補正値ＢＰ２は、下記の式で算出される。
（式４）
ＢＰ２＝Ｋ＿Ｒ×ＢＰ＿Ｒ＋Ｋ＿Ｂ×ＢＰ＿Ｂ
【０２００】
Ｋ＿ＲおよびＫ＿Ｂは、各色の補正情報に対する係数である。被写体に含まれる緑（Ｇ）情報に対する赤（Ｒ）や青（Ｂ）の情報の大小関係と相関がある値で、赤い色を多く含む被写体に対しては、Ｋ＿Ｒが大きな値を取り、青い色を多く含む被写体に対しては、Ｋ＿Ｂが大きな値を取る。緑色を多く含む被写体に対しては、Ｋ＿Ｒ、Ｋ＿Ｂ共に小さい値を取る。
【０２０１】
Ｋ＿Ｒ、Ｋ＿Ｂは、被写体として代表的な分光情報に基づき、予め設定しておけばよい。もしくは、被写体の分光情報を、被写体の分光を検出する手段を用いて取得できる場合には、被写体の分光情報に応じて、Ｋ＿Ｒ、Ｋ＿Ｂを設定すればよい。Ｓ２０２で色ＢＰ補正値の算出を終えると、本サブルーチンを終了する。
【０２０２】
第１の実施例では、焦点検出に用いる補正値を図９や図１２のように焦点検出領域ごとにテーブルデータを記憶するようにしたが、補正値の記憶方法については、これに限らない。例えば、撮像素子と結像光学系の光軸の交点を原点とし撮像装置の水平方向、垂直方向をＸ軸、Ｙ軸とした座標を設定し、焦点検出領域の中心座標における補正値をＸとＹの関数で求めてもよい。この場合、焦点検出補正値として記憶するべき情報量を削減することができる。
【０２０３】
また、第１の実施例では、縦横ＢＰ補正情報や色ＢＰ補正情報を用いて算出する焦点検出に用いる補正値を、被写体のパターンの持つ空間周波数情報によらないものとして算出した。そのため、記憶するべき補正情報の量を増やすことなく高精度な補正を行うことができる。しかしながら、補正値の算出方法は、これに限らない。後述する空間周波数ＢＰ補正値の算出方法と同様に、空間周波数毎の縦横ＢＰ補正情報や色ＢＰ補正情報を用いて、被写体の空間周波数成分に合わせた補正値を算出してもよい。
【０２０４】
（空間周波数ＢＰ補正値の算出方法）
次に、図１３から図１６を用いて、図１のＳ２２で行う空間周波数ＢＰ補正値（ＢＰ３）の算出方法について説明する。
【０２０５】
図１３は、図１のＳ２２で行う処理の詳細を示す空間周波数ＢＰ補正値（ＢＰ３）を算出する流れを示したサブルーチンである。
【０２０６】
Ｓ３００で、空間周波数ＢＰ補正情報の取得を行う。空間周波数ＢＰ補正情報は、カメラＭＰＵ１２５の要求に応じて、レンズＭＰＵ１１７を通じて得られる情報であり、被写体の空間周波数ごとの撮影光学系の結像位置に関する情報である。
【０２０７】
図１４を用いて、レンズメモリ１１８に格納されている空間周波数ＢＰ補正情報の例を説明する。図１４は、撮影光学系のデフォーカスＭＴＦを示している。横軸は、フォーカスレンズ１０４の位置を示しており、縦軸はＭＴＦの強度を示している。図１４に描かれている４種の曲線は、空間周波数ごとのＭＴＦ曲線で、ＭＴＦ１、ＭＴＦ２、ＭＴＦ３、ＭＴＦ４の順に、空間周波数が低い方から高い方に変化した場合を示している。
【０２０８】
空間周波数Ｆ１（ｌｐ／ｍｍ）のＭＴＦ曲線がＭＴＦ１と対応し、同様に、空間周波数Ｆ２、Ｆ３、Ｆ４（ｌｐ／ｍｍ）とＭＴＦ２、ＭＴＦ３、ＭＴＦ４が対応する。また、ＬＰ４、ＬＰ５、ＬＰ５、ＬＰ６は、各デフォーカスＭＴＦ曲線の極大値に対応するフォーカスレンズ１０４位置を示している。
【０２０９】
図１４では、連続曲線で示されているが、レンズメモリ１１８に格納されている空間周波数ＢＰ補正情報は、図１４の曲線を離散的にサンプリングしたものである。
【０２１０】
第１の実施例では、１つのＭＴＦ曲線に対して、１０個のフォーカスレンズ位置に対してＭＴＦデータがサンプリングされており、例えば、ＭＴＦ１に対しては、ＭＴＦ１（ｎ）（１≦ｎ≦１０）として１０個のデータを記憶している。
【０２１１】
空間周波数ＢＰ補正情報は、縦横ＢＰ補正情報や、色ＢＰ補正情報と同様に、焦点検出領域の位置ごとに記憶している。また、撮影光学系のズーム位置とフォーカス位置を８つのゾーンに分割し、その分割ゾーンごとに空間周波数ＢＰ補正情報を有する。
【０２１２】
上述した縦横ＢＰ補正情報や色ＢＰ補正情報と同様に、焦点検出領域の数、ズーム位置やフォーカス位置の分割数は、自由に設定してよい。設定数を増やすほど、データの記憶に必要なメモリ量が増えてしまうが、高精度な補正が期待できる。
【０２１３】
また、空間周波数ＢＰ補正情報は、コントラスト検出方式、位相差検出方式の両方に用いることができる。
【０２１４】
Ｓ３００では、補正対象となっている焦点検出結果に応じたズーム位置、フォーカス位置に対応した補正情報を取得する。
【０２１５】
次に、Ｓ３０１で、コントラスト検出方式や位相差検出方式の焦点検出（ＡＦ）を行う際に用いられる信号の帯域の算出を行う。第１の実施例では、被写体、撮影光学系、撮像素子のサンプリング、評価に用いるデジタルフィルタの影響を鑑みて、ＡＦ評価帯域の算出を行う。ＡＦ評価帯域の算出方法は、後述する。
【０２１６】
次に、Ｓ３０２で、撮影画像に用いられる信号の帯域の算出を行う。Ｓ３０１のＡＦ評価帯域の算出と同様に、被写体、撮影光学系、撮像素子のサンプリング、撮影画像の鑑賞者の評価帯域の影響を鑑みて、撮影画像評価帯域の算出を行う。
【０２１７】
図１５を用いて、Ｓ３０１、Ｓ３０２で行うＡＦ評価帯域（焦点調節用信号の第２の評価帯域）、撮影画像評価帯域（記録用信号の第１の評価帯域）の算出について説明する。図１５は、いずれも空間周波数毎の強度を示しており、横軸に空間周波数、縦軸に強度を示している。
【０２１８】
切換手段により記録用信号の第１の評価帯域が切換えられた場合、結像位置の補正値を変更する。
【０２１９】
図１５（ａ）は、被写体の空間周波数特性（Ｉ）を示している。横軸上のＦ１、Ｆ２、Ｆ３、Ｆ４は、図１４のＭＴＦ曲線（ＭＴＦ１〜ＭＴＦ４）と対応した空間周波数である。また、Ｎｑは、撮像素子の画素ピッチによりきまるナイキスト周波数を示している。Ｆ１からＦ４とＮｑについては、以後説明する図１５（ｂ）から図１５（ｆ）にも同様に示している。
【０２２０】
第１の実施例では、被写体の空間周波数特性（Ｉ）は、事前に記憶した代表値を用いる。図１５（ａ）では、被写体の空間周波数特性（Ｉ）は、曲線で描かれているが、離散的に空間周波数Ｆ１、Ｆ２、Ｆ３、Ｆ４に対応した値を有し、それをＩ（ｎ）（１≦ｎ≦４）と表す。
【０２２１】
また、第１の実施例では、予め記憶された被写体の空間周波数特性を用いたが、焦点検出を行う被写体に応じて、用いる被写体の空間周波数特性を変更してもよい。撮影した画像信号をＦＦＴ処理などの処理を行うことにより、被写体の空間周波数情報を得ることができる。
【０２２２】
このような処理により、演算処理内容が増えるが、焦点検出を行う被写体に応じた補正値を算出できるため、高精度な焦点調節を行うことができる。また、より簡易的に、被写体のコントラスト情報の大小によって、予め記憶された数種の空間周波数特性を使い分けてもよい。
【０２２３】
図１５（ｂ）は、撮影光学系の撮影光学系の空間周波数特性（Ｏ）である。この情報は、レンズＭＰＵ１１７を通じて得てもよいし、カメラ内のＲＡＭ１２５ｂに記憶しておいてもよい。その際に記憶する情報は、デフォーカス状態毎の空間周波数特性でもよいし、合焦時の空間周波数特性のみでもよい。
【０２２４】
空間周波数ＢＰ補正値は、合焦近傍で算出するため、合焦時の空間周波数特性を用いれば、高精度に補正を行うことができる。但し、演算負荷は増えるものの、デフォーカス状態毎の空間周波数特性を用いると、より高精度に焦点調節を行うことができる。
【０２２５】
どのデフォーカス状態の空間周波数特性用いるかについては、位相差検出方式の焦点検出により得られるデフォーカス量を用いて選択すればよい。
【０２２６】
図１５（ｂ）では、撮影光学系の空間周波数特性（Ｏ）は、曲線で描かれているが、離散的に空間周波数Ｆ１、Ｆ２、Ｆ３、Ｆ４に対応した値を有し、それをＯ（ｎ）（１≦ｎ≦４）と表す。
【０２２７】
図１５（ｃ）は、光学ローパスフィルタ１２１の空間周波数特性（Ｌ）である。この情報は、カメラ内のＲＡＭ１２５ｂに記憶されている。図１５（ｃ）では、光学ローパスフィルタ１２１の空間周波数特性（Ｌ）は、曲線で描かれているが、離散的に空間周波数Ｆ１、Ｆ２、Ｆ３、Ｆ４に対応した値を有し、それをＬ（ｎ）（１≦ｎ≦４）と表す。
【０２２８】
図１５（ｄ）は、信号生成による空間周波数特性（Ｍ１、Ｍ２）である。上述の通り、第１の実施例の撮像素子は２種類の読み出しモードを有する。第１の読み出しモード、すなわち全画素読み出しモードでは、信号生成時に空間周波数特性が変わる事はない。
【０２２９】
図１５（ｄ）のＭ１は、第１の読み出しモードの際の空間周波数特性を示している。一方で、第２の読み出しモード、すなわち間引き読み出しモードの際には、信号生成時に空間周波数特性が変わる。上述の通り、Ｘ方向の間引きの際に信号の加算を行いＳ／Ｎの改善を図るため、加算によるローパス効果が発生する。
【０２３０】
図１５（ｄ）のＭ２は、第２の読み出しモードの際の信号生成時の空間周波数特性を示している。ここでは、間引きの影響は加味せず、加算によるローパス効果を示している。
【０２３１】
図１５（ｄ）では、信号生成による空間周波数特性（Ｍ１、Ｍ２）は、曲線で描かれているが、離散的に空間周波数Ｆ１、Ｆ２、Ｆ３、Ｆ４に対応した値を有し、それをＭ１（ｎ）、Ｍ２（ｎ）（１≦ｎ≦４）と表す。
【０２３２】
図１５（ｅ）は、撮影画像を鑑賞する際の空間周波数ごとの感度を示す空間周波数特性（Ｄ１）とＡＦ評価信号の処理時に用いるデジタルフィルタの空間周波数特性（Ｄ２）を示している。
【０２３３】
撮影画像を鑑賞する際の空間周波数毎の感度は、鑑賞者の個人差や、画像サイズや鑑賞距離、明るさなどの鑑賞環境などにより影響を受ける。第１の実施例では、代表的な値として、鑑賞時の空間周波数毎の感度を設定し、記憶している。
【０２３４】
鑑賞距離は、ユーザーから記録画像が表示されるディスプレイまでの距離、ユーザーから記録画像が印字される紙までの距離を意味する。
【０２３５】
一方で、第２の読み出しモードの際には、間引きの影響で、信号の周波数成分の折り返しノイズが発生する。その影響を加味して、デジタルフィルタの空間周波数特性を示したのがＤ２である。
【０２３６】
図１５（ｅ）では、鑑賞時の空間周波数特性（Ｄ１）とデジタルフィルタの空間周波数特性（Ｄ２）は、曲線で描かれているが、離散的に空間周波数Ｆ１、Ｆ２、Ｆ３、Ｆ４に対応した値を有し、それをＤ１（ｎ）、Ｄ２（ｎ）（１≦ｎ≦４）と表す。
【０２３７】
以上のように、種々の情報を、カメラ、レンズのいずれかに記憶しておくことにより、撮影画像の評価帯域Ｗ１やＡＦ評価帯域Ｗ２の算出を下記の式を用いて行う。
（式５）
Ｗ１（ｎ）＝Ｉ（ｎ）×Ｏ（ｎ）×Ｌ（ｎ）×Ｍ１（ｎ）×Ｄ１（ｎ）（１≦ｎ≦４）
（式６）
Ｗ２（ｎ）＝Ｉ（ｎ）×Ｏ（ｎ）×Ｌ（ｎ）×Ｍ２（ｎ）×Ｄ２（ｎ）（１≦ｎ≦４）
【０２３８】
図１５（ｆ）に、撮影画像の評価帯域Ｗ１（記録用信号の第１の評価帯域）とＡＦ評価帯域Ｗ２（焦点調節用信号の第２の評価帯域）を示す。式５や式６のような計算を行うことにより、撮影画像の合焦状態を決定する因子に対して、空間周波数毎に、どの程度の影響度合いを有するかを定量化することができる。同様に、焦点検出結果が有する誤差が、空間周波数毎に、どの程度の影響度合いを有するかを定量化することができる。
【０２３９】
また、カメラ内に記憶する情報は、事前に計算されたＷ１やＷ２を記憶していてもよい。上述のように、補正の度に計算することにより、ＡＦ評価の際に用いるデジタルフィルタ等を変更した際に、柔軟に対応して補正値を算出できる。
【０２４０】
一方で、事前に記憶しておけば、式５や式６のような計算や各種データの記憶容量を省略することができる。
【０２４１】
また、全ての計算を事前に終えておく必要はないため、例えば、撮影光学系と被写体の空間周波数特性のみは予め計算し、カメラ内に記憶することにより、データの記憶容量の低減や演算量の低減を行ってもよい。
【０２４２】
図１５では、説明を簡易にするため、４つ空間周波数（Ｆ１〜Ｆ４）を用いて説明したが、データを有する空間周波数の数は、多いほど、撮影画像やＡＦの評価帯域の空間周波数特性を正確に再現することができ、精度のよい補正値の算出を行うことができる。
【０２４３】
一方で、重みづけを行う空間周波数を少なくすることにより、演算量の低減を行うことができる。撮影画像の評価帯域とＡＦ評価帯域の空間周波数特性を代表する空間周波数を各々１つずつ持ち、以後の演算を行ってもよい。
【０２４４】
図１３に戻りサブルーチンの内容の説明を続ける。
【０２４５】
Ｓ３０３で、空間周波数ＢＰ補正値（ＢＰ３）の算出を行う。空間周波数ＢＰ補正値の算出を行うに際し、まず、撮影画像のデフォーカスＭＴＦ（Ｃ１）と焦点検出信号のデフォーカスＭＴＦ（Ｃ２）を算出する。
【０２４６】
Ｃ１、Ｃ２は、Ｓ３００で得たデフォーカスＭＴＦ情報と、Ｓ３０１、Ｓ３０１で得た評価帯域Ｗ１、Ｗ２を用いて、下記式にて算出する。
（式７）
Ｃ１（ｎ）＝ＭＴＦ１（ｎ）×Ｗ１（１）＋ＭＴＦ２（ｎ）×Ｗ１（２）＋ＭＴＦ３（ｎ）×Ｗ１（３）＋ＭＴＦ４（ｎ）×Ｗ１（４）
（式８）
Ｃ２（ｎ）＝ＭＴＦ１（ｎ）×Ｗ２（１）＋ＭＴＦ２（ｎ）×Ｗ２（２）＋ＭＴＦ３（ｎ）×Ｗ２（３）＋ＭＴＦ４（ｎ）×Ｗ２（４）
【０２４７】
式７、式８では、図１４で示した空間周波数毎のデフォーカスＭＴＦ情報に対して、Ｓ３０１、Ｓ３０２で算出した撮影画像やＡＦの評価帯域の重みづけを行い加算し、撮影画像のデフォーカスＭＴＦであるＣ１とＡＦのデフォーカスＭＴＦであるＣ２を得ている。
【０２４８】
図１６に、得られた２つのデフォーカスＭＴＦであるＣ１、Ｃ２を示している。横軸はフォーカスレンズ１０４の位置で、縦軸は、空間周波数毎に重み付けして加算されたＭＴＦの値となっている。
【０２４９】
カメラＭＰＵ１２５は、結像位置算出手段として各々のＭＴＦ曲線の極大値位置を検出する。曲線Ｃ１の極大値と対応するフォーカスレンズ１０４の位置としてＰ＿ｉｍｇ（第１の結像位置）が検出される。曲線Ｃ２の極大値と対応するフォーカスレンズ１０４の位置としてＰ＿ＡＦ（第２の結像位置）が検出される。
【０２５０】
Ｓ３０３で、空間周波数ＢＰ補正値であるＢＰ３は、下記の式により算出される。
（式９）
ＢＰ３＝Ｐ＿ＡＦ−Ｐ＿ｉｍｇ
【０２５１】
式９により、撮影画像の合焦位置とＡＦが検出する合焦位置の間で発生しうる誤差を補正するためのベストピント補正値（ＢＰ補正値）を補正することができる。上述の説明の通り、撮影画像の合焦位置は、被写体の空間周波数特性、撮影光学系の空間周波数特性、光学ローパスフィルタの空間周波数特性、信号生成時の空間周波数特性、鑑賞時の周波数毎の感度を示す空間周波数特性などにより変化する。
【０２５２】
他にも、撮影画像に施される画像処理内容などによっても変化する。第１の実施例では、撮影画像の生成される過程に遡って空間周波数特性を算出することにより、高精度に撮影画像の合焦位置を算出することができる。
【０２５３】
例えば、撮影画像を記録する際の記録サイズや画像処理で行われる超解像処理、シャープネス、表示サイズなどによって、撮影画像の合焦位置を変更する。また、撮影画像の記録後に、どの程度の画像サイズや拡大率で鑑賞されるかや鑑賞する際の鑑賞距離などが、事前にわかる場合は、鑑賞者の評価帯域に影響を与える。
【０２５４】
画像サイズが大きくなるほど、また、鑑賞距離が短くなるほど、鑑賞者の評価帯域は、高周波成分に重きを置いた特性とする。これにより、撮影画像の合焦位置も変更されることとなる。
【０２５５】
記録用信号の第１の評価帯域は、記録用信号の撮像素子の画素の間隔及び撮像素子内で行われる記録用信号の信号加算処理に応じて変更される。
【０２５６】
記録用信号の第１の評価帯域は、撮像素子内で行われる記録用信号の信号間引き処理及び記録用信号に行われる画像処理内容に応じて変更される。
【０２５７】
記録用信号の第１の評価帯域は、記録用信号の画像サイズ及び記録用信号の表示サイズに応じて変更される。
【０２５８】
記録用信号の第１の評価帯域は、記録用信号の鑑賞距離及び記録用信号の画像の明るさに応じて変更される。
【０２５９】
同様に、焦点調節用信号の第２の評価帯域は、焦点調節用信号の撮像素子の画素の間隔に応じて変更される。
【０２６０】
焦点調節用信号の第２の評価帯域は、撮像素子内で行われる信号加算処理、撮像素子内で行われる信号間引き処理、焦点調節用信号に行われるフィルタ処理内容に応じて変更される。
【０２６１】
一方で、ＡＦが検出する合焦位置も同様に、被写体の空間周波数特性、撮影光学系の空間周波数特性、光学ローパスフィルタの空間周波数特性、信号生成時の空間周波数特性、ＡＦ評価に用いるデジタルフィルタ空間周波数特性などにより変化する。第１の実施例では、ＡＦに用いられる信号が生成される過程に遡って空間周波数特性を算出することにより、高精度にＡＦが検出する合焦位置を算出することができる。
【０２６２】
例えば、第１の読み出しモードで、ＡＦを行う際にも柔軟に対応できる。その場合には、信号生成時の空間周波数特性を、第１の読み出しモードに対応した特性に変更して、重みづけ係数を算出すればよい。
【０２６３】
また、第１の実施例で説明した撮像装置は、交換レンズ式一眼レフカメラであるため、レンズユニット１００の交換が可能である。交換が行われた場合には、撮影光学系ごとに、各空間周波数に対応したデフォーカスＭＴＦ情報を、カメラ本体１２０に送信し、撮影画像の合焦位置やＡＦが検出する合焦位置を算出するため、交換レンズ毎に高精度な補正値の算出を行うことができる。
【０２６４】
レンズユニット１００は、デフォーカスＭＴＦ情報だけでなく、撮影光学系の空間周波数特性などの情報もカメラ本体１２０に送信してもよい。その情報の活用方法は、上述のとおりである。
【０２６５】
また、同様に、カメラ本体１２０を交換した場合には、画素ピッチや光学ローパスフィルタの特性などが変わる場合がある。上述の通り、そのような場合でも、カメラ本体１２０の特性に合わせた補正値が算出されるため、高精度に補正を行うことができる。
【０２６６】
上述の説明では、主に補正値の計算を、カメラＭＰＵ１２５で行ったが、計算手段はこれに限らない。例えば、レンズＭＰＵ１１７で補正値の計算を行ってもよい。その場合には、カメラＭＰＵから、レンズＭＰＵに対して、図１５を用いて説明した各種情報を送信し、レンズＭＰＵ内で、デフォーカスＭＴＦ情報などを用いて補正値の算出を行ってもよい。その場合には、図１のＳ２４で、カメラＭＰＵ１２５から送信された合焦位置に対して、レンズＭＰＵが補正を施して、レンズ駆動を行えばよい。
【０２６７】
本実施例では、焦点検出に用いる信号の特性（縦横、色、空間周波数帯域）に着目して、ＡＦ用の補正値を算出している。そのため、ＡＦの方式によらず、同様の方法で、補正値の算出を行うことができる。ＡＦ方式毎に、補正方法、補正に用いるデータを有する必要がないため、データの記憶容量、演算負荷の低減を行うことができる。
【実施例２】
【０２６８】
以下、図１７を参照して、本発明の第２の実施例について説明する。第１の実施例との主な違いは、空間周波数ＢＰ補正値の算出方法が異なる点である。第１の実施例では、撮影光学系の空間周波数毎の特性を表す値としてデフォーカスＭＴＦ情報を用いた。
【０２６９】
しかしながら、デフォーカスＭＴＦ情報は、データ量が多く、記憶容量、演算負荷が大きくなるため、第２の実施例では、デフォーカスＭＴＦの極大値情報を用いて、空間周波数ＢＰ補正値の算出を行う。
【０２７０】
これにより、レンズメモリ１１８内のデータ容量の低減、レンズ、カメラ間の通信容量の低減、カメラＭＰＵ１２５で行う演算負荷の低減を行うことができる。
【０２７１】
なお、第１の実施例における撮像装置のブロック図（図２）、各焦点検出方式の説明図（図３から図６）に関しては、第２の実施例と同様の構成なので、説明は省略する。
【０２７２】
第１の実施例における焦点検出領域の説明図（図７）、焦点検出処理のフロー図（図１）、各種ＢＰ補正値の算出方法（図８から図１２）に関しては、第２の実施例と同様の構成なので、説明は省略する。
【０２７３】
また、空間周波数ＢＰ補正値算出のサブルーチン（図１３）、各評価帯域の説明図（図１５）についても、同様の構成であり、同様の動作を行うため、説明を省略する。
【０２７４】
第２の実施例における空間周波数ＢＰ補正値（ＢＰ３）を算出する流れを示したサブルーチンを説明する。
【０２７５】
Ｓ３００で、空間周波数ＢＰ補正情報の取得を行う。
【０２７６】
第２の実施例で行う処理内容が、第１の実施例とは異なる図１４のレンズメモリ１１８に格納されている空間周波数ＢＰ補正情報について、図１７を用いて説明する。
【０２７７】
図１７は、撮影光学系の特性である空間周波数毎のデフォーカスＭＴＦの極大値を示すフォーカスレンズ１０４位置を示している。図１４の空間周波数（Ｆ１からＦ４）ごとのデフォーカスＭＴＦの極大値と対応するレンズ位置ＬＰ１、ＬＰ２、ＬＰ３、ＬＰ４が、それと対応して、図１７の縦軸に示されている。第２の実施例では、ＭＴＦ＿Ｐ（ｎ）（１≦ｎ≦４）として４個のデータを、レンズメモリ１１８は記憶している。記憶されている情報は、焦点検出領域の位置、ズーム位置やフォーカス位置に対応していることは、第１の実施例と同様である。
【０２７８】
第２の実施例では、空間周波数ＢＰ補正値の算出を行うサブルーチンで、Ｓ３００で、補正対象となっている焦点検出結果に応じたズーム位置、フォーカス位置に対応した補正情報を取得する。
【０２７９】
次に、Ｓ３０１、Ｓ３０２では、第１の実施例と同様の処理を行う。
【０２８０】
次に、Ｓ３０３で、空間周波数ＢＰ補正値（ＢＰ３）の算出を行う。空間周波数ＢＰ補正値の算出を行うに際し、まず、撮影画像の合焦位置（Ｐ＿ｉｍｇ）とＡＦが検出する合焦位置（Ｐ＿ＡＦ）を、Ｓ３００で得たデフォーカスＭＴＦ情報と、Ｓ３０１、Ｓ３０１で得た評価帯域Ｗ１、Ｗ２を用いて、下記式にて算出する。
（式１０）
Ｐ＿ｉｍｇ＝ＭＴＦ＿Ｐ（１）×Ｗ１（１）＋ＭＴＦ＿Ｐ（２）×Ｗ１（２）＋ＭＴＦ＿Ｐ（３）×Ｗ１（３）＋ＭＴＦ＿Ｐ（４）×Ｗ１（４）
（式１１）
Ｐ＿ＡＦ＝ＭＴＦ＿Ｐ（１）×Ｗ２（１）＋ＭＴＦ＿Ｐ（２）×Ｗ２（２）＋ＭＴＦ＿Ｐ（３）×Ｗ２（３）＋ＭＴＦ＿Ｐ（４）×Ｗ２（４）
【０２８１】
式１０、式１１では、図１７で示した空間周波数毎のデフォーカスＭＴＦの極大値情報に対して、Ｓ３０１、Ｓ３０２で算出した撮影画像やＡＦの評価帯域の重みづけを行う。それにより、撮影画像の合焦位置（Ｐ＿ｉｍｇ）とＡＦが検出する合焦位置（Ｐ＿ＡＦ）を算出している。
【０２８２】
Ｓ３０３で、空間周波数ＢＰ補正値であるＢＰ３は、第１の実施例と同様に、下記の式により算出される。
（式９）
ＢＰ３＝Ｐ＿ＡＦ−Ｐ＿ｉｍｇ
【０２８３】
以上のように処理することにより、空間周波数ＢＰ補正値を算出することができる。第１の実施例では、デフォーカスＭＴＦ情報を用いるため、より高精度に補正値の算出を行うことができる。一方で、第２の実施例のように構成することにより、レンズメモリ１１８内のデータ容量の低減、レンズ、カメラ間の通信容量の低減、カメラＭＰＵ１２５で行う演算負荷の低減を行うことができる。
【実施例３】
【０２８４】
以下、図１８を参照して、本発明の第３の実施例について説明する。第１の実施例との主な違いは、空間周波数ＢＰ補正値の算出方法が異なる点である。第１の実施例では、撮影光学系の空間周波数毎の特性を表す値としてデフォーカスＭＴＦ情報を用いて、焦点検出を行うたびに、補正値の算出を行うように構成した。
【０２８５】
しかしながら、空間周波数ＢＰ補正値の算出は、扱うデータ量が多く、記憶容量、演算負荷が大きくなるため、第３の実施例では、空間周波数ＢＰ補正値の算出の必要性が無い場合には、算出を行わない。これにより、レンズ、カメラ間の通信容量の低減、カメラＭＰＵ１２５で行う演算負荷の低減を行うことができる。
【０２８６】
なお、第１の実施例における撮像装置のブロック図（図２）、各焦点検出方式の説明図（図３から６）、焦点検出領域の説明図（図７）に関しては、第３の実施例と同様なため、説明は省略する。
【０２８７】
第１の実施例における焦点検出処理のフロー図（図１）、各種ＢＰ補正値の算出方法（図８から１２）に関しては、第３の実施例と同様なため、説明は省略する。
【０２８８】
また、空間周波数ＢＰ補正値を算出する際に用いた説明図（図１４から１６）についても、同様の構成であり、同様の動作を行うため、説明を省略する。
【０２８９】
第３の実施例で行う処理内容が、第１の実施例における空間周波数ＢＰ補正値（ＢＰ３）を算出するサブルーチンと異なる点について図１８を用いて説明する。図１８において、図１３と同様の処理を行う箇所については、同じステップ番号を付しており、説明は割愛する。
【０２９０】
図１８は、図１のＳ２２で行う処理の詳細を示す第３の実施例における空間周波数ＢＰ補正値（ＢＰ３）を算出する流れを示したサブルーチンである。
【０２９１】
Ｓ３０００で、補正値を算出するか否かを判定する。第１の実施例で説明したことからわかる通り、撮影画像の評価帯域とＡＦ評価帯域が似ていれば似ているほど、補正量は小さくなる。そのため、第３の実施例では、事前に、２つの評価帯域の差が所定値より小さいことが分かる場合には、補正値の算出を省略する。
【０２９２】
つまり、第１の評価帯域と第２の評価帯域の差が所定値より小さい場合、補正値を行わない。
【０２９３】
第１の評価帯域と第２の評価帯域の差が所定値以上の場合、補正値を記録用信号の第１の評価帯域に関する情報及び焦点調節用信号の第２の評価帯域に関する情報を用いて補正する。
【０２９４】
具体的には、信号生成による空間周波数特性は、ＡＦに用いる信号も第１の読み出しモードで読み出された信号である場合には、撮影画像の評価帯域とＡＦ評価帯域は等しくなる。
【０２９５】
さらに、撮影画像を鑑賞する際の空間周波数ごとの感度を示す空間周波数特性と類似の空間周波数特性のデジタルフィルタをＡＦ評価信号の処理時に用いる場合には、鑑賞時の空間周波数特性とデジタルフィルタの空間周波数特性が等しくなる。
【０２９６】
このような状況は、表示器１２６に表示する画像を拡大して表示する場合などに、発生する。
【０２９７】
また、同様に、撮影画像が第２の読み出しモードで読み出された信号で生成される場合にも撮影画像の評価帯域とＡＦ評価帯域が等しくなることが想定される。このような状況は、撮影画像の記録画像サイズを小さく設定している場合などに、発生する。
【０２９８】
Ｓ３０００では、このような場合に、補正値算出の必要はないと判定して、Ｓ３００１に進む。
【０２９９】
Ｓ３００１では、補正値の算出を行わないため、ＢＰ３に０を代入し、空間周波数ＢＰ補正値（ＢＰ３）を算出するサブルーチンを終了する。
【０３００】
一方で、Ｓ３０００で、補正値の算出が必要であると判定された場合に行われる以後の処理は、第１の実施例と同じであるため、説明は省略する。
【０３０１】
このように構成することにより、空間周波数ＢＰ補正値の算出が不要な時には、処理を省略することができる。これにより、データの通信量の低減、演算負荷の低減を実現することができる。
【０３０２】
また、第３の実施例では、空間周波数ＢＰ補正値について説明を行ったが、縦横ＢＰ補正値や色ＢＰ補正値についても同様である。焦点検出を垂直方向、水平方向に行う場合は、縦横ＢＰ補正値の算出を省略してもよい。また、撮影画像に用いる色信号と、焦点検出に用いる色信号が等しい場合は、色ＢＰ補正値の算出を省略してもよい。
【符号の説明】
【０３０３】
１００  レンズユニット
１０４  フォーカスレンズ
１１３  フォーカスアクチュエータ
１１７  レンズＭＰＵ
１１８  レンズメモリ
１２０  カメラ本体
１２２  撮像素子
１２５  カメラＭＰＵ
１２９  撮像面位相差焦点検出部
１３０  ＴＶＡＦ焦点検出部
【図１】
2020074022.tif 000003
【図２】
2020074022.tif 000004
【図３】
2020074022.tif 000005
【図４】
2020074022.tif 000006
【図５】
2020074022.tif 000007
【図６】
2020074022.tif 000008
【図７】
2020074022.tif 000009
【図８】
2020074022.tif 000010
【図９】
2020074022.tif 000011
【図１０】
2020074022.tif 000012
【図１１】
2020074022.tif 000013
【図１２】
2020074022.tif 000014
【図１３】
2020074022.tif 000015
【図１４】
2020074022.tif 000016
【図１５】
2020074022.tif 000017
【図１６】
2020074022.tif 000018
【図１７】
2020074022.tif 000019
【図１８】
2020074022.tif 000020
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
撮像素子を有する撮像部に着脱可能に構成され位置変動可能な光学部材を備えた撮影光学系を有するレンズ部であって、
異なる複数の空間周波数ごとの前記撮影光学系の結像位置に関する情報を記憶する記憶手段と、
前記撮像部からの要求があった際の前記光学部材の位置に関連付けられた前記撮影光学系の結像位置に関する情報であって、前記異なる複数の空間周波数ごとに１つずつ対応した前記撮影光学系の結像位置に関する情報を、前記撮像部に対して通知する通知手段とを有することを特徴とするレンズ部。
【請求項２】
前記記憶手段に記憶された異なる複数の空間周波数ごとの前記撮影光学系の結像位置に関する情報は、前記撮影光学系の収差により発生する焦点検出結果の誤差を補正するための情報であることを特徴とする請求項１に記載のレンズ部。
【請求項３】
前記記憶手段に記憶された異なる複数の空間周波数ごとの前記撮影光学系の結像位置に関する情報は、異なる複数の空間周波数ごとのＭＴＦ曲線の前記撮影光学系の結像位置に関する情報であることを特徴とする請求項１に記載のレンズ部。
【請求項４】
前記異なる複数の空間周波数ごとのＭＴＦ曲線のそれぞれに１つずつ対応した前記撮影光学系の結像位置は、異なる複数の空間周波数に対応する複数のＭＴＦの極大値にそれぞれが対応する複数の結像位置の情報であることを特徴とする請求項１乃至３のいずれか１項に記載のレンズ部。
【請求項５】
前記異なる複数の空間周波数ごとにそれぞれに１つずつ対応した前記撮影光学系の結像位置は、焦点検出領域の位置に対応した情報であることを特徴とする請求項１乃至４のいずれか１項に記載のレンズ部。
【請求項６】
前記光学部材の位置は、焦点調節を行うためのフォーカスレンズの位置であることを特徴とする請求項１乃至５のいずれか１項に記載のレンズ部。
【請求項７】
前記光学部材の位置は、ズーム機能を実現するズームレンズの位置及び焦点調節を行うためのフォーカスレンズの位置であることを特徴とする請求項１乃至５のいずれか１項に記載のレンズ部。
【請求項８】
前記レンズ部は、ズーム機能を実現するズームレンズ、光量調節を行う絞り、及び焦点調節を行うためのフォーカスレンズを備えることを特徴とする請求項１乃至７のいずれか１項に記載のレンズ部。
【請求項９】
前記通知手段は、レンズ部に係る制御を行い、前記撮像部からの要求に対して前記撮像部に情報を通知するレンズＭＰＵであることを特徴とする請求項１乃至８のいずれか１項に記載のレンズ部。
【請求項１０】
前記レンズＭＰＵは、マウントの信号線を介して前記撮像部と接続され、前記撮像部からの要求に対して前記情報を前記信号線を介して前記撮像部に通知することを特徴とする請求項９に記載のレンズ部。
【請求項１１】
前記記憶手段は、前記撮影光学系の非点収差により発生する焦点検出結果の誤差を補正するための情報、前記撮影光学系の色収差により発生する焦点検出結果の誤差を補正するための情報、及び、前記撮影光学系の球面収差により発生する焦点検出結果の誤差を補正するための情報を、別々のデータとして記憶することを特徴とする請求項１乃至１０のいずれか１項に記載のレンズ部。
【請求項１２】
撮像素子を有する撮像部に着脱可能に構成され位置変動可能な光学部材を備えた撮影光学系の、異なる複数の空間周波数ごとの結像位置に関する情報を記憶する記憶手段から、前記情報を送信する送信手段と、
要求があった際、前記光学部材の位置に関連付けられた前記撮影光学系の結像位置に関する情報であって、前記異なる複数の空間周波数ごとに１つずつ対応した前記撮影光学系の結像位置に関する情報を送信するように送信手段を制御する制御手段とを有することを特徴とする送信装置。
【請求項１３】
前記記憶手段に記憶された異なる複数の空間周波数ごとの結像位置に関する情報は、前記撮影光学系の収差により発生する焦点検出結果の誤差を補正するための情報であることを特徴とする請求項１２に記載の送信装置。
【請求項１４】
前記記憶手段に記憶された異なる複数の空間周波数ごとの結像位置に関する情報は、異なる複数の空間周波数ごとのＭＴＦ曲線の前記撮影光学系の結像位置に関する情報であることを特徴とする請求項１２に記載の送信装置。
【請求項１５】
前記異なる複数の空間周波数ごとに１つずつ対応した前記撮影光学系の結像位置に関する情報は、異なる複数の空間周波数に対応する複数のＭＴＦの極大値にそれぞれが対応する複数の結像位置の情報であることを特徴とする請求項１２乃至１４のいずれか１項に記載の送信装置。
【請求項１６】
前記異なる複数の空間周波数ごとに１つずつ対応した前記撮影光学系の結像位置に関する情報は、焦点検出領域の位置に対応した情報であることを特徴とする請求項１２乃至１５のいずれか１項に記載の送信装置。
【請求項１７】
前記光学部材の位置は、焦点調節を行うためのフォーカスレンズの位置であることを特徴とする請求項１２乃至１６のいずれか１項に記載の送信装置。
【請求項１８】
前記光学部材の位置は、ズーム機能を実現するズームレンズの位置及び焦点調節を行うためのフォーカスレンズの位置であることを特徴とする請求項１２乃至１６のいずれか１項に記載の送信装置。
【請求項１９】
前記撮影光学系は、ズーム機能を実現するズームレンズ、光量調節を行う絞り、及び焦点調節を行うためのフォーカスレンズを備えることを特徴とする請求項１２乃至１８のいずれか１項に記載の送信装置。
【請求項２０】
撮像素子を有する撮像部に着脱可能に構成され位置変動可能な光学部材を備えた撮影光学系の、異なる複数の空間周波数ごとの結像位置に関する情報を記憶し、
要求があった際、前記光学部材の位置に関連付けられた前記撮影光学系の結像位置に関する情報であって、前記異なる複数の空間周波数ごとに１つずつ対応した前記撮影光学系の結像位置に関する情報を送信する送信方法。
【請求項２１】
撮像素子を有する撮像部に着脱可能に構成され位置変動可能な光学部材を備えた撮影光学系の異なる複数の空間周波数ごとの結像位置に関する情報を送信装置に要求する要求手段と、
前記要求に応じて前記送信装置から送信された、前記光学部材の位置に関連付けられた前記撮影光学系の結像位置に関する情報であって、前記異なる複数の空間周波数ごとに１つずつ対応した前記撮影光学系の結像位置に関する情報を受信する受信手段とを有することを特徴とする受信装置。
【請求項２２】
前記異なる複数の空間周波数ごとの結像位置に関する情報は、前記撮影光学系の収差により発生する焦点検出結果の誤差を補正するための情報であることを特徴とする請求項２１に記載の受信装置。
【請求項２３】
前記異なる複数の空間周波数ごとの結像位置に関する情報は、異なる複数の空間周波数ごとのＭＴＦ曲線の前記撮影光学系の結像位置に関する情報であることを特徴とする請求項２１に記載の受信装置。
【請求項２４】
前記異なる複数の空間周波数ごとに１つずつ対応した前記撮影光学系の結像位置に関する情報は、異なる複数の空間周波数に対応する複数のＭＴＦの極大値にそれぞれが対応する複数の結像位置に関する情報であることを特徴とする請求項２１乃至２３のいずれか１項に記載の受信装置。
【請求項２５】
前記異なる複数の空間周波数ごとに１つずつ対応した前記撮影光学系の結像位置に関する情報は、焦点検出領域の位置に対応した情報であることを特徴とする請求項２１乃至２４のいずれか１項に記載の受信装置。
【請求項２６】
前記光学部材の位置は、焦点調節を行うためのフォーカスレンズの位置であることを特徴とする請求項２１乃至２５のいずれか１項に記載の受信装置。
【請求項２７】
前記光学部材の位置は、ズーム機能を実現するズームレンズの位置及び焦点調節を行うためのフォーカスレンズの位置であることを特徴とする請求項２１乃至２５のいずれか１項に記載の受信装置。
【請求項２８】
前記撮影光学系は、ズーム機能を実現するズームレンズ、光量調節を行う絞り、及び焦点調節を行うためのフォーカスレンズを備えることを特徴とする請求項２１乃至２７のいずれか１項に記載の受信装置。
【手続補正２】
【補正対象書類名】明細書
【補正対象項目名】００１０
【補正方法】変更
【補正の内容】
【００１０】
そこで、上記目的を達成するために、本発明では、撮像素子を有する撮像部に着脱可能に構成され位置変動可能な光学部材を備えた撮影光学系の異なる複数の空間周波数ごとの結像位置に関する情報を記憶する記憶手段と、前記撮像部からの要求があった際の前記光学部材の位置に関連付けられた前記撮影光学系の結像位置に関する情報であって、前記異なる複数の空間周波数ごとに１つずつ対応した前記撮影光学系の結像位置に関する情報を、前記撮像部に対して通知する通知手段とを有することを特徴とする。